(57)【要約】【課題】現在の携帯型ＩＴの英文入力鍵盤の主流は、４行３列の鍵盤の各鍵に３個ないし４個の字母を同時に指定して、鍵の押し下げ数によって、各字母を弁別入力するが、タッチ数と操作性において問題を残している。【解決手段】３行３列の入力鍵盤において、単語綴りにおける字母の相補性を利用して、ｃｋｑ、ｇｊ、ｈｉｙ、ｓｘｚ、ｕｖｗの５組の字母をそれぞれ同一の鍵に設定して、これらの鍵を押し下げると、これらの字母が同時に入力されるように設定して、この入力結果をディスプレーに表示して、手動によって選択する方法によって、１７個の鍵による入力システムを作り上げ、この入力システムを、この１７個の鍵を英文において出現率の高い字母の入力を担う鍵盤とそれ以外の字母の入力を担う鍵盤２個の鍵盤に振り分けて、この２個の鍵盤を手動で切替るシステムと組み合わせて、現行のパソコンに近い入力操作性を実現する【選択図】図１
2012059302.tif 000002
【特許請求の範囲】
【請求項１】
３行３列の鍵盤を持つ携帯入力端末の英文入力方式において、単語綴りにおいて、相補的出現傾向を持つｃｋｑ、ｈｉｙ、ｓｘｚ、ｕｖｗ、ｇｊの５個の字母群を設定して、これらのそれぞれの字母群に属する字母を、それぞれ同一の鍵に設定して、これらの鍵の１度の押し下げによって、これらの字母群に属する各字母を同時に入力することによって、字母入力を担当する鍵を１７個として、これらの鍵を２個の鍵盤に振り分けて、この２個の鍵盤を手動で切り替える入力方式をもった携帯入力端末の英文入力方式。
【請求項２】
請求項１における携帯入力端末の英文入力方式において、２個の鍵盤のうちの片方に英文において出現率の高い字母の入力を設定し、もう一方の鍵盤に英文において出現率の低い字母の入力を設定した入力方式をもった携帯入力端末の英文入力方式。
【発明の詳細な説明】
【技術分野】
【０００１】本発明は携帯入力端末の入力方式に関するものである。
【背景技術】
【０００２】現在、携帯電話端末等の小型機器は、半導体技術の発展によって以前のパーソナルコンピューターに匹敵する極めて高度の機能を持つにいたっている。【０００３】したがってこれらの小型入力端末においても、一般的なパーソナルコンピューターと同様に、高度の文字、符号の入力機能や編集機能、あるいはインターネットへの接続等にふさわしい操作性が求められている。【０００４】しかしながら、これらの小型入力端末においては、最大限の小型化が必須の前提的要請となっており、パーソナルコンピューターのキーボードの５分の１にも満たないキー数しか備えられておらず、そのためにこの要求を満たすことはきわめて困難であった。【０００５】現在、少数のキーとりわけいわゆるテンキーによって高度の入力を勝ち取るために使用されている和文入力の方式は、携帯電話で一般的となっている、一つのハードキーに複数の字音を代表させ、これに別種の操作を加えてその字音を確定するという方式である。【０００６】この現在通用のいわゆるテンキー型の携帯電話の入力方式は、特許文献１に始まる五十音図に依拠した方式である。【０００７】すなわち、テンキーに五十音図の十行五段の文字配列を対応させて、各キーに子音行を代表させ、子音キーの連続打キーによって、その母音を決定するものである。【０００８】これには、特許文献２や特許文献３のように別に設けた母音段を決定する母音キーあるいは別種デバイスの押し下げによって、母音を決定する方式がある。【０００９】このように携帯電話の和文入力は五十音図に依拠するという日本語の特性に対応した優れた方式を採用することによって、使用時の抵抗感を減らし、一定の操作性を獲得するに至っている。【００１０】しかしながら、特許文献１に始まる現行の携帯電話の入力方式は、特許文献２の場合をも含めてタッチ数が極めて多くなるという欠点がある。【００１１】これに対して、たとえば子音行の確定に加えて別種デバイスの押し下げによって母音段を確定するという特許文献３のアイデアは、原理的には高度の操作性を実現するものであるが、その現実の入力動作における操作性には問題が残されている。【００１２】すなわち、この特許文献３のアイデアにおいては、筐体表面に置かれたテンキーに子音段の決定を役割を担わせ、筐体裏面に置かれた別種のデバイスの押し下げによって母音段が決定される。【００１３】この場合においては、テンキーと操作デバイスを片手の別の指で同時に操作できるので、子音段の決定と母音段の決定がほぼ同時になされるので、原理的にはきわめて迅速な入力が可能となる。【００１４】しかし、この方式における現実の入力動作においては、筐体表面に置かれたテンキーの入力動作における意識と筐体裏面に置かれた別種のデバイスの押し下げの意識が、同一表面上のそれでない（逆面操作）ことからくる矛盾感と、筐体表面に置かれたテンキーの入力動作における意識が右から左、上から下という直線的な性質を持つのに対して、筐体裏面に置かれた別種のデバイスの押し下げの意識が、一点の上下、左右に置かれた四つの点の選択という性格をもつことの間の矛盾感が重なり、実際の操作性は高いものとならない。【００１５】テンキーにおける子音段と母音段の決定に関しては、母音キーの位置を固定せず、一打目の子音キーにあわせてそれを取り囲むように母音を担当するキーを配列するという特許文献４の方式があるが、現実の携帯端末においては、キー数が限られているため、こうして自動的に出現した母音段を決定する機能をもったキーと、先に決定された子音段のキーとの位置関係が、さまざまな形をとることに成り、実際の入力動作が逆に煩瑣になるという欠点がある。【００１６】また、これらの和文入力における優れた方式とは異なって、英文入力の場合には、旧態然として１個のキーに３個ないし４個の英文字母が割り当てられる方式が採用されている。【００１７】
【先行技術文献】
【特許文献】
【００１８】
【特許文献１】  特許公開２００１−１７５３９１
【特許文献２】  特許公開２００３−２５６１１５
【特許文献３】  特許公開２００５−１２８８０２
【特許文献４】  特許公開２００６−０２３９５０
【発明の概要】
【発明が解決しようとする課題】
【００１９】本発明が解決しようとする課題は、総じて言えば、従来のテンキー型よりさらにキー数を削減した３行３列の９キー型の携帯入力端末を提唱し、この少数のキーによって、和文入力、英文入力、数字入力、符号入力等の異なった性格をもつ入力対象に応じて、その特性に対応した形の鍵盤システムを構築することを通じて、より合理的なインターフェイスを提供することにある。【００２０】９キー型の携帯入力端末における和文入力と英文入力の困難は、五十音やアルファベット２６字母という多数の入力対象を、最大限９個のキーによって処理せざるを得ない点にある。【００２１】一般的に言って、現在通用しているテンキー型の携帯入力端末における符号入力の困難は、すでに五十音の字母や五十音を表すアルファベット字母、あるいは英文入力のためのアルファベット２６字母の表記で埋め尽くされた鍵盤には、符号を表記する十分な余地が無く、必然的に画面のディスプレーに符号を表示して、この符号あるいは符号一覧のなかから必要な符号を、カーソルによって捜し求めるという操作、すなわち字母入力における鍵盤操作とは異質でやや不安定、かつ一般的に操作回数の多い方法を取らざるを得ない点にある。【００２２】一方、現行のテンキー型の携帯入力端末における和文入力のシステムを、一般的なパソコンの入力方式と比較した場合の大きな特徴は、携帯電話の場合にもっとも特徴的に示されるように、すでに入力された文脈から、あるいは入力時の時間的、空間的、社会的環境から、きわめて多数の入力候補文字が画面のディスプレー上に表示され、入力者はこの入力候補文字から、必要とされる文字を選ぶシステムが発達していることである。【００２３】これはきわめて重要な技術的発展であるが、実際上の困難は、この候補文字を選択する場合には、符号入力の場合と同様に、この候補文字の一覧を、カーソルによって捜し求めるという操作、すなわち和文入力における鍵盤操作とは異質でやや不安定、かつ一般的に操作回数の多い方法を取らざるを得ない点にある。
【課題を解決するための手段】「和文入力問題の解決」【００２４】本発明は、携帯入力端末に使用する従来のテンキー型よりさらにキー数を削減した３行３列の９キー型のローマナイズによるアルファベット使用入力鍵盤による和文入力において一つのキーに子音と母音、あるいは子音とそれ以外の子音の二つの字母の入力を担わせることにより、キー数を一挙に２倍とすることによって、キー数の不足を解決する。【００２５】本発明の基本は、携帯入力端末において、子音と母音あるいは連続した二つの子音と母音とのあいだに自動的な交替関係を設定する点にある。【００２６】こうした方式を取る際に、もっとも合理的なのは子音鍵盤と母音鍵盤のあいだに、自動的な交替関係を設定することである。【００２７】しかし、母音数と子音数は隔絶しており、子音鍵盤と母音鍵盤のあいだに、全面的な自動的交替関係を設定することは不可能である。【００２８】そこで本発明においては、まず、ａ、ｉ、ｕ、ｅ、ｏ、の５個のキーと一定の子音とのあいだに自動的な交替関係を設定する。【００２９】この場合、ローマナイズの過程で、ａ、ｉ、ｕ、ｅ、ｏ、の５個のキーが一定の子音と結びつけば、ａ、ｉ、ｕ、ｅ、ｏ、の５個の母音そのものの入力が不可能となる。【００３０】そこで、本発明においては、自身では形式上子音でありながら音価を持たないで、ａ、ｉ、ｕ、ｅ、ｏ、の５個の母音をそのままの音価で入力するためのキー、本発明で言う子音符を設定する。【００３１】また、仮名における  ん  を入力するためには、一般的な方法では、ｎキーを２度続けて押し下げることになるが、本発明においては、後に説明するように、ｎキーは、子音と母音あるいは連続した二つの子音と母音とのあいだに自動的な交替関係を設定する鍵盤に属することになるので、子音であるｎキーを２度続けて押し下げる方式は取りえない。【００３２】そこで、特定のキーに、形式上子音でありながら音価を持たない子音符と結びつく形式上母音に属するキー、本発明で言う鼻音符を設定して  ん  を入力する。【００３３】さらにこの形式上母音に属する鼻音符を、さきに設定した形式上子音に属する子音符と同じハードキーに置くことによって、自動的な交替関係に入るキーを、ａ、ｉ、ｕ、ｅ、ｏ、の５個のキーから、さらに１個増やすことができる。【００３４】以上によって、鼻音符とａ、ｉ、ｕ、ｅ、ｏ、の５個のキーをあわせた合計６個のキーと、子音符となんらかの５個の子音キーをあわせた合計６個のキーとのあいだに自動的な交替関係を設定することが、可能となった。【００３５】次に問題になるのは、本発明の基本は、子音と母音の間に自動的な交替関係を設定して、９個のキーを２倍に使うことによって、１８個のキーと同じ働きをさせるのであるが、ローマナイズによるアルファベット使用入力鍵盤による和文入力において、最低限必要な子音は、ｋ、ｓ、ｔ、ｎ、ｈ、ｍ、ｙ、ｒ、ｗ、ｇ、ｚ、ｄ、ｂ、ｐ、の１４個であり、これにさきほど設定したａ、ｉ、ｕ、ｅ、ｏ、の５個のキーと子音符、母音符を加えると、合計２１個となり、９個のハードキーに、それぞれ二つの字母を設定することによって得られる１８個のキーの枠を大きく超えてしまうことである。【００３６】本発明は、���の困難を解決するために、ｋとｇ、ｓとｚ、ｔとｄ、ｈとｂをそれぞれ同一のキーに設定し、このｋｇ、ｓｚ、ｔｄ、ｈｂの４個のキーを、普通に押し下げると清音が、少し長めに押し下げると濁音が入力されるように設定する。【００３７】本発明においては、全体として３行３列の鍵盤において、ｋｇ、ｓｚ、ｔｄ、ｈｂの４個のキーにｎキーと子音符を加えて、これらを五十音順にならべた、子音符、ｋｇ、ｓｚ、ｔｄ、ｎ、ｈｂの２行３列６個のキーと、鼻音符にａ、ｉ、ｕ、ｅ、ｏ、の５個のキーを加えて五十音順にならべた２行３列６個のキーとの間に、１対１の全面的な（鍵盤全体にとっては部分的な）自動交替鍵盤を設定してこれを子音母音自動交代鍵盤と称するが、この段階で、未設定の字母は、ｍ、ｙ、ｒ、ｗ、ｐ、の５個の字母であり、全体として３行３列の鍵盤のなかで、．これまでにすでに２行３列が字母設定済みなのであるから、残りの１行３列の鍵盤に、このｍ、ｙ、ｒ、ｗ、ｐ、の５個の字母を設定すればよいということになる。【００３８】残された困難の第一は、仮名における促音の  っ  を入力するためには、一般的な方法では、ｔキーを２度続けて押し下げることになるが、本発明においては、子音であるｔｄキーは本発明においては、母音ｕを入力するキーとのあいだに自動的な交替関係を設定しているので、子音であるｔｄキーを２度続けて押し下げる方式は取りえないということである。【００３９】そこで、本発明においては、全体で３行３列の字母入力鍵盤のなかで、子音と母音が１対１で自動的に交代する２行３列のキーを除いた１行３列の鍵盤に、このｍ、ｙ、ｒ、ｗ、ｐ、の５個の字母を設定し、のこりの１符号として、直前に入力した普通の大きさの字体の平仮名、片仮名、漢字をそれぞれ小型の字体に変換し、小型の字体の平仮名、片仮名、漢字をそれぞれ普通の字体に変換する機能を持った、本発明において文字大小符キーとよぶキーを設定して、つ  を  っ  に変換することによって、この問題を解決することにする。【００４０】本発明においては、さらに、この文字大小符を、つ  の場合だけではなく、一般的にすでに入力された平仮名、漢字あるいは片仮名等の字母の直後に引き続いて押し下げられると、これらのすでに入力された普通の字体の字母を小型の字体に、小型の字体の字母を普通の字体に変換させる作用をもつものとして設定する。【００４１】またこの場合、この文字大小符を、それがすでに入力された平仮名、漢字あるいは片仮名等の字母群をカーソル等によって指定した後に押し下げられると、これらのすでに入力された普通の字体の字母群を小型の字体に、小型の字母群を普通の字体に変化させる作用を持つものとして設定する。【００４２】残された困難の第二は、このｍ、ｙ、ｒ、ｗ、ｐ、の５個の字母は、ｋｇ、ｓｚ、ｔｄ、ｎ、ｈｂの５個のキーとは違って、直接にａ、ｉ、ｕ、ｅ、ｏ、の５個のキーとの間に、１対１の全面的な自動的な交替関係を設定することができないという問題である。【００４３】そこで、本発明においては、この１行３列の鍵盤において、１度キーを押し下げると、ｍ、ｙ、ｒ、の３個の字母が入力され、連続２度押し下げられると、文字大小符とｗ、ｐ、の２個の字母が入力されるように設定する���【００４４】より具体的に説明すれば、次のようになる。【００４５】本発明においては、最初の和文入力画面すなわち和文ローマナイズによる和文入力画面が呼び出された場合、あるいはそこから他の入力画面に入ったのちに、ふたたび入力種切替キーを押し下げて入るアルファベットのローマナイズによる和文平仮名入力の場面においては、図１（ａ）に示される、子音符と五十音順にならべられた、ｋｇ、ｓｚ、ｔｄ、ｎ、ｈｂの５個の子音字母および、五十音順にならべられたｍ、ｙ、ｒ、の３個の子音字母からなる３行３列の子音鍵盤が呼び出される。【００４６】この子音鍵盤のいずれかのキーを押し下げると、、そのキーが担当する子音字母（子音符を含む）が入力されると同時に、図１（ｂ）の上部２行に示されるように、自動的に、鼻音符および、それに続いて五十音順にならべられたａ、ｉ、ｕ、ｅ、ｏ、の５個のキーからなる２行３列の母音鍵盤が呼び出される。【００４７】ついで、この母音鍵盤のいずれかのキーを押し下げると、この母音キーは先ほどの子音キーと結びついて、ある平仮名の入力が完成し、また自動的に最初の３行３列の子音鍵盤が呼び出される。【００４８】たとえば、最初に入った入力画面において、子音鍵盤のｋｇキーがやや長く押し下げられると、ｇが入力されると同時に鍵盤は自動的に母音鍵盤に変化し、その後同じキーが押し下げられると、このキーは母音鍵盤のａキーとして、あわせて  が  の字が入力されると同時に再び自動的に子音鍵盤にもどる。【００４９】ここで、さらに、子音鍵盤の子音符キーが押し下げられると、子音符キーが入力されると同時に鍵盤は自動的に母音鍵盤に変化し、その後同じキーが押し下げられると、このキーは母音鍵盤の鼻音キーとして、あわせて  ん  の字が入力されると同時に再び自動的に子音鍵盤にもどる。【００５０】つづいて、子音鍵盤のｋｇキーが普通に押し下げられると、ｋが入力されると同時に鍵盤は自動的に母音鍵盤に変化し、その後同じキーが押し下げられると、このキーは母音鍵盤のａキーとして認識され、あわせて  が  の字が入力されると同時に再び自動的に子音鍵盤にもどる。【００５１】以上によって、３行３列の和文入力鍵盤を用いて、合計６タッチで、平仮名の  がんか  が入力される。【００５２】これをさらに漢字変換すれば、たとえば眼科という入力が実現するが、以上の入力に要するタッチ数は、普通のパソコンで、いわゆるｑｗｅｒｔｙボードを用いて入力する場合のタッチ数とまったく同数である。【００５３】次の問題は、この２行３列の子音母音が１対１で自動的に交替する鍵盤と残された１行３列の純粋に子音のみからなる鍵盤との交代関係をどのように設定するのかと言う問題である。【００５４】そこで、最初に入った入力画面において、純粋の子音鍵盤のｍキーを押し下げると、ｍが入力されると同時にこの場合も２行３列の子音母音自動交替鍵盤は自動的に母音鍵盤に変化し、その後たとえばこの母音鍵盤のａキーが押し下げられると、このｍキーは母音鍵盤のａキーとあわせて  ま  の字が入力されると同時母音鍵盤は再び自動的に子音鍵盤にもどるように設定する。【００５５】ここで、さらに、子音鍵盤の子音符キーが押し下げられると、子音符キーが入力されると同��に鍵盤は自動的に母音鍵盤に変化し、その後同じキーが押し下げられると、このキーは母音鍵盤の鼻音キーとして、あわせて  ん  の字が入力されると同時に再び自動的に子音鍵盤にもどる。【００５６】つづいて、純粋の子音鍵盤のｍキーを２度連続して押し下げると、図１（ｂ）の第３行に示されるように、このｍキーはｐキーに変化して、ｐが入力されると同時に、この場合も２行３列の子音母音自動交替鍵盤は自動的に母音鍵盤に変化し、その後たとえばこの母音鍵盤のａキーが押し下げられると、このｍキーは母音鍵盤のａキーとあわせて  ぱ  の字が入力されると同時に再び自動的に子音鍵盤にもどるように設定する。【００５７】さらに、子音鍵盤の子音符キーが押し下げられると、子音符キーが入力されると同時に鍵盤は自動的に母音鍵盤に変化し、その後母音鍵盤のｉキーが押し下げられると、このキーは母音鍵盤のｉキーとして、あわせて  い  の字が入力されると同時に再び自動的に子音鍵盤にもどる。【００５８】以上によって、３行３列の和文入力鍵盤を用いて、合計８タッチで、平仮名の  まんぱい  が入力される。【００５９】これをさらに漢字変換すれば、たとえば満杯という入力が実現するが、以上の入力に要するタッチ数は、普通のパソコンで、いわゆるｑｗｅｒｔｙボードを用いて入力する場合のタッチ数より子音符の入力に要する１タッチが多いだけで、その他の部分はまったく同数である。【００６０】もう一つの問題は、こ拗音の入力の設定をどうするのかと言う問題である。【００６１】この問題に対しては、ｙキーが１行３列の純粋の子音鍵盤に置かれていて、子音母音の強制的な１対１の交替関係から離れているという事情を利用して通常のパソコンの場合と同様に入力する方法と、すでに説明した促音の入力の場合と同様に、一旦通常の方法によって入力した  や  ゆ  よ  を、文字大小符を用いて小型の字体に変えるという二つの方法が考えられる。【００６２】第一の場合には、たとえば子音鍵盤のｓｚキーがやや長く押し下げられると、  ｚが入力されるが、ここで純粋子音鍵盤に属するｙキーが押し下げられると、拗音のｚｙを表す子音群が入力されると同時に鍵盤は自動的に母音鍵盤に変化し、その後この母音鍵盤のｏキーが押し下げられると、あわせて  じょ  の字が入力されると同時に鍵盤は再び自動的に子音鍵盤にもどる。【００６３】つづいて、子音鍵盤の子音符キーが押し下げられると、子音符キーが入力されると同時に鍵盤は自動的に母音鍵盤に変化し、その後この母音鍵盤のｕキーが押し下げられると、あわせて  う  の字が入力されると同時に再び自動的に子音鍵盤にもどる。【００６４】つづいて、たとえば子音鍵盤のｓｚキーが普通に押し下げられると、ｓが入力されると同時に鍵盤は自動的に母音鍵盤に変化し、その後この母音鍵盤のｉキーが押し下げられると、あわせて  し  の字が入力されると同時に鍵盤は再び自動的に子音鍵盤にもどる。【００６５】以上によって、平仮名の  じょうし  の５文字が入力され、これをさらに漢字変換すれば、たとえば上司という入力が実現するが、この場合も以上の入力に要するタッチ数は、普通のパソコンで、いわゆるｑｗｅｒｔｙボードを用いて入力する場合のタッチ数より子音符の入力に要する１タッチが��いだけで、その他の部分はまったく同数である。【００６６】拗音入力に、純粋の子音鍵盤を２度連続して押し下げて入力するｐが関係する場合は、たとえば、最初に入った入力画面において純粋子音鍵盤のｒキーが２度連続して押し下げられると、このｒキーがｐキーに変化してｐが入力されると同時に子音母音自動交代鍵盤は母音鍵盤に変化するが、さらに続いて純粋子音鍵盤のｙキーが入力されると、この場合のｙキーは子音と母音の交代に中立的で、拗音のｐｙを表す子音群が入力されるとともに鍵盤は母音鍵盤のままにとどまり、その後たとえばこの母音鍵盤のｏキーが押し下げられると、あわせて  ぴょ  の字が入力されると同時に再び自動的に子音鍵盤にもどる。【００６７】以上によって、平仮名の  ぴょ  の２文字が入力されるが、この場合も以上の入力に要するタッチ数４は、普通のパソコンで、いわゆるｑｗｅｒｔｙボードを用いて入力する場合のタッチ数よりｐの入力に要する１タッチが多いだけで、その他の部分はまったく同数である。【００６８】先に触れた促音の入力の問題を、ぴょっと  と入力する場合を取り上げて今一度一層系統的に説明すると、前記の  ぴょ  の入力に続けて、子音母音自動交替鍵盤でｔｄキーを普通に押し下げてｔを入力し、続いて自動的に母音鍵盤に変化した同じキーを続けて押し下げると、このキーは自動的に出現する母音鍵盤のｕキーとなって、あわせて  ぴょつ  と入力される。【００６９】ここで純粋の子音鍵盤のｍのキーを連続して２度押し下げると、このキーは文字大小キーに変化して、その直前に入力された  つ  を、  っ  に変換するが、この文字大小キーは子音と母音の交替には中立的で、先に  つ  の母音部分が入力されたのを受けて子音鍵盤となった状況がそのまま継続する。【００７０】この子音鍵盤で、ｔｄキーを普通に押し下げてｔを入力し、続いて母音鍵盤に交替した子音母音自動交替鍵盤のｏキーを押し下げて、平仮名の  と  を入力する。【００７１】こうして、  っと  と入力するのには、本発明の場合には合計６度のキーの押し下げが必要であり、パソコンの場合の３度と比較すると、キーの押し下げ数は倍になる。【００７２】以上によって、例外的に押し下げ数の多くなる促音や文字大小符を使って入力する拗音の場合を除いて、本発明のキーの押し下げ数は、パソコンの場合と同様である。【００７３】以上のような、携帯入力端末に使用する３行３列の９キー型のローマナイズによるアルファベット使用入力鍵盤による和文入力において、一つのキーに子音と母音、あるいは子音とそれ以外の子音の二つの字母の入力を担わせる自動交代入力システムをここで再び図示すれば、図１のようになる。【００７４】すなわち、図１（ａ）の３行３列の９キー型のハードキーの上から第１行目の左から第１列目のキーを子音符キーとし、第２列目のキーをｋｇキーとし、第３列目のキーをｓｚキーとし、第２行目の第１列のキーをｔｄキーとし、第２列目のキーをｎキーとし、第３列目のキーをｈｂキーとし、第３行目の第１列のキーをｍキーとし、第２列目のキーをｙキーとし、第３列目のキーをｒキーとするように設定した鍵盤が、和文入力において、最初にはいる鍵盤となる。【００７５】これに対して、図１（ｂ）に示す３行３列の９キーのハードキーの上から第１行目の左から第１列のキーを鼻音符とし、第２列のキーをａキーとし、第３列のキーをｉキーとし、第２行第１列のキーをｕキーとし、第２列のキーをｅキーとし、第３列のキーをｏキーとする２行３列合計６個のキーが、母音キーとして子音キーと交代関係に入る。【００７６】さらに、図１（ｂ）の文字大小符、ｗキー、ｐキーの合計３個のキーについて言えば、図１（ａ）の第三行目の第１列のキーのｍキーをさらに連続して押し下げれば、子音と母音の交代に中立的な文字大小符が入力され、第２列目のキーのｙキーをさらに連続して押し下げれば、再び子音キーであるｗキーが入力され、第３列目のキーのｒキーをさらに連続して押し下げれば、再び子音キーであるｐキーが入力される。【００７７】これらの３個のキーのなかで、子音と母音の交代に中立的な文字大小符以外のｗキー、ｐキーの２個のキーが、図（ａ）の子音鍵盤とともに、図１（ａ）の２行３列合計６個の母音キーと自動的な交代関係に入る。【００７８】以上の場合において、図１（ｂ）のｙキーは、その直前に母音が入力された場合は子音のｙ音として、そのあとに入力された母音と結びついて  や  ゆ  よ  となり、子音キーと母音キーの交代が実現するが、その直前に子音が入力された場合はこの子音を拗音化する符号として、そのあとに入力された母音と結びついて  ゃ  ゅ  ょ  となり、この場合は文字大小符同様、子音と母音の自動的交代システムに対して中立的である。【００７９】ローマ字に馴染まない使用者層のために、本発明においては、図２のように、これらの子音キーにａを加えてローマナイズして、ａキーを、あキーとし、ｉキーを、いキーとし、ｕキーを、うキーとし、ｅキーを、えキーとし、ｏキーを、おキーとし、ｋｇキーを、かがキーとし、ｓｚキーを、さざキーとし、ｔｄキーを、ただキーとし、ｎキーを、なきーとし、ｈｂキーを、はばキーとし、ｍキーを、まキーとし、ｙキーを、やキーとし、ｒキーを、らキーとし、ｗキーを、わキーとし、ｐキーを、ぱキーとするように表記した鍵盤をも用意する。【００８０】本発明の子音母音の交代システムをもっとも簡単に説明すれば以下のようになる。【００８１】文字大小符と拗音化符号としてのｙキーの場合を除いて、子音鍵盤のいずれかのキーが有効に押し下げられると、当該の子音が入力されると同時に、自動的に２行３列の母音鍵盤が呼び出される。【００８２】２行３列の母音鍵盤のいずれか一つのキーが押し下げられると、この母音が入力されると同時に、この２行３列の母音鍵盤が２行３列の子音鍵盤に変化する。
「英文入力問題の解決」【００８３】以上の説明のように、和文入力に当たっての本発明の基本は、子音と母音の規則的交替というシステムを通じて、和文入力に必要なハードキーの数を半減する点にある。【００８４】このシステムは、現実に和文の中に存在している子音と母音のほぼ規則的な交替という現象に注目して、これを形式的に徹底することによって、構築されている。【００８５】これに対して、英文にはそのような現象は存在していないので、英文入力において英文入力に必要なキー数を半減するためには、手動によって鍵盤の切替を行うほか無い。【００８６】そこで、本発明は別に設けた鍵盤切替キーを手動によって押し下げることによって、英文入力に必要なハードキーの数を半減する。【００８７】すなわち、本発明の英文入力においては、携帯入力端末に使用する３行３列の９キー型の英文入力鍵盤において、アルファベット２６字母を、二つの鍵盤に振り分けて、その一方の、英文入力に入った最初に出現する鍵盤を、英文入力表鍵盤とし、この鍵盤を用いた入力中に、鍵盤切替キーを押し下げることによって、もう一方の英文入力裏鍵盤が呼び出されるように設定した携帯入力端末を提唱する。【００８８】さらに、この鍵盤切替キーを押し下げることによって呼び出された英文入力裏鍵盤による入力がなされたあと、自動的に鍵盤がもとの英文入力表鍵盤にもどるように設定する。【００８９】このような、方式を取ることによって、本発明は、従来の一つのキーに３個あるいは４個のアルファベット字母を配置した鍵盤を採用する携帯入力端末の入力に際して、キーの押し下げ数が多く、かつ押し下げ数がキーによって不均等であるという欠陥を克服し、リズミカルで高速の英文入力を追求するのである。【００９０】しかし、アルファベットは２６個あり、一つのキーに二つの字母の入力を受け持たせて、これを鍵盤切替キーを手動によって押し下げることによって切り替えたとしても、最大限１８個のキーを提供できるだけであり、アルファベット２６字母に対応するシステムは作りえない。【００９１】この困難に対して、本発明は英文単語の綴りにおける字母の相補的配置という状況を利用して、一つのハードキーに複数の字母の入力を受け持たせてこれらを２個のヴァーチャルな鍵盤に振り分けてそれらを手動によって交代させるという方法を採用することによって、この困難を克服する。【００９２】すなわち、本発明は上記の英文単語の綴りに見られる相補性を利用して、ｃｋｑ、ｈｉｙ、ｇｊ、ｓｘｚ、ｕｖｗの１４個５組の英文字母を、それぞれひとつのキーに設定した携帯入力端末を提唱するのであるが、この相補性の検証は後述することにして、ここではその結果だけを示すことにする。【００９３】この発明によって、英文入力に必要なキー数を、２６個から１７個に減らすことができる。【００９４】従って、本発明の基本的要素の一つは、３行３列のテンキー型の英文入力の場合の入力鍵盤において、ひとつのキーに設定される複数のアルファベット字母がワンタッチで同時に入力される仕組みを設定する点にある。【００９５】この、ひとつのキーに設定される複数のアルファベット字母がワンタッチで同時に入力される仕組みは、単に、３行３列の９キー型の英文入力の場合の入力鍵盤においてのみ意味を持つわけではなく、一般にこれとは異なったキー配置を持った鍵盤、あるいはこれよりキー数の多い鍵盤、あるいは少ない鍵盤においても重要な働きを示す。、【００９６】第二の問題は、本発明においては、全ての英文字母を英文入力表鍵盤と英文入力裏鍵盤に振り分けるが、前者から後者に入るためには、鍵盤切替キーを押し下げる必要が生じることである。【００９７】したがって、この鍵盤切替キーを押し下げる回数を如何にして減らすかが、重要な問題となる。【００９８】本発明は、英語の文章のなかで、相対的に頻用される字母を英文入力表鍵盤に集中し、英語の文章のなかで、相対的に出現度の低い字母を英文入力裏鍵盤に置くことによって、鍵盤切替キーを押し下げる必要が生じる場合を減らすことにする。【００９９】この場合、いずれの字母が英語の文章のなかで相対的に頻用されるについての検証もまた後述において行うことにして、ここではその結果だけを示すことにする。【０１００】このように、英文の単語綴りにおける字母の相補性と、英文における字母の頻出度の相違という二つの要素に基づいて、本発明においては、３行３列の９キー型の携帯入力端末の英文入力表鍵盤に設定されるアルファベット字母、あるいはアルファベット字母の組み合わせを、ａ、ｅ、ｈｉｙ、ｎ、ｏ、ｒ、ｓｘｚ、ｔ、ｕｖｗの９組とした携帯入力端末を提唱する。【０１０１】この発明は、入力鍵盤の形態や鍵数とは関係なく、限られた鍵数の制約を緩和する作用を持っている。【０１０２】このａ、ｅ、ｈｉｙ、ｎ、ｏ、ｒ、ｓｘｚ、ｔ、ｕｖｗの９組のアルファベット字母、あるいはアルファベット字母の組み合わせを、どのように具体的に配列するのかは重要な問題であるが、本発明においては、英語圏においてもっとも普遍的なアルファベットの順に配置する。【０１０３】より具体的には、図３（ａ）に示すように、この英文入力表鍵盤すなわち本発明に言う英文入力表鍵盤英語型に設定されるａ、ｅ、ｈｉｙ、ｎ、ｏ、ｒ、ｓｘｚ、ｔ、ｕｖｗの９個の字母あるいは字母の組み合わせを、３行３列の９キー型の鍵盤において、図３（ａ）に示すように、基本的にアルファベットの順にならべた持つ携帯入力端末、すなわち、３行３列の９キー鍵盤の９個のキーの第１行第１列にａ、第２列にｅ、第３列にｈｉｙ、第２行第１列にｎ、第２列にｏ、第３列にｒ、第３行第１列にｓｘｚ、第２列にｔ、第３列にｕｖｗ、のキーを配置する携帯入力端末を提唱する。【０１０４】この本発明における英文入力表鍵盤と組み合わせられる３行３列の英文入力裏鍵盤すなわち本発明に言う英文入力裏鍵盤英語型は、したがって、アルファベット２６字母の中から、英文入力表鍵盤に設定されるａ、ｅ、ｈｉｙ、ｎ、ｏ、ｒ、ｓｘｚ、ｔ、ｕｖｗの９組の字母あるいは字母の組み合わせを差し引いた、ｂ、ｃｋｑ、ｄ、ｆ、ｇｊ、ｌ、ｍ、ｐ、の８組の字母あるいは字母の組み合わせとすることになる。【０１０５】こうして、３行３列の９キーに対して８組の字母あるいは字母の組み合わせを配置するので、１個のキーが余るが、本発明においては、この余った１個のキーに、文字大小符を配置する。【０１０６】本発明においては、この英文入力の場合の文字大小符キーを、それを押し下げると、その直前に入力された、あるいは入力後さらに確定された英文小文字を大文字に、英文大文字を小文字に転換するように設定する。【０１０７】この文字大小符キーは、さらに、すでに入力された文章や単語の一部を指定した後にそれが押し下げられた場合は、指定された文章や単語全体について、英文小文字を大文字に、英文大文字を小文字に転換するように設定する。【０１０８】こうして、さきに設定された英文入力表鍵盤すなわち本発明に言う英文入力表鍵盤英語型と組み合わせる、３行３列の英文入力裏鍵盤すなわち本発明に言う英文入力裏鍵盤英語型は、ｂ、ｃｋｑ、ｄ、ｆ、ｇｊ、ｌ、ｍ、ｐの８組１１個の字母あるいは字母の組み合わせを載せた８個のキーに、文字大小符キーを加えた９個のキーによって構成される。【０１０９】より具体的には、この英文入力裏鍵盤すなわち本発明に言う英文入力裏鍵盤英語型に設定されるｂ、ｃｋｑ、ｄ、ｆ、ｇｊ、ｌ、ｍ、ｐ８組１１個の字母あるいは字母の組み合わせを、基本的にアルファベットの順にならべた３行３列の９キー型の鍵盤を持つ携帯入力端末、すなわち、図３（ｂ）に示すように、３行３列の９キー鍵盤の９個のキーの第１行第１列にｂ、第２列にｃｋｑ、第３列にｄ、第２行第１列にｆ、第２列にｇｊ、第３列にｌ、第３行第１列に文字大小符、第２列にｍ、第３列にｐ、のキーを配置した携帯入力端末を提唱する。【０１１０】本発明においては、また日本人の使用を考慮して、最大限に五十音順を重視したキー配置の携帯入力端末をも提唱する。【０１１１】この携帯入力端末においては、五十音順を尊重するために、本発明に言う英文入力表鍵盤英語型に設定されるａ、ｅ、ｈｉｙ、ｎ、ｏ、ｒ、ｓｘｚ、ｔ、ｕｖｗの９個の字母あるいは字母の組み合わせからｒを裏鍵盤にまわし、裏鍵盤からｃｋｑを入れて、３行３列の９キー型の鍵盤において、基本的に五十音の順にならべた鍵盤すなわち本発明に言う英文入力表鍵盤和文対応型の鍵盤を持つ携帯入力端末を提唱する。【０１１２】この鍵盤においては、ａ、ｃｋｑ、ｅ、ｈｉｙ、ｎ、ｏ、ｓｘｚ、ｔ、ｕｖｗの９個の字母あるいは字母の組み合わせを、図４（ａ）に示すように、３行３列の９キー鍵盤の９個のキーの第１行第１列にａ、第２列にｈｉｙ、第３列にｕｖｗ、第２行第１列にｅ、第２列にｏ、第３列にｃｋｑ、第３行第１列にｓｘｚ、第２列にｔ、第３列にｎ、のキーを配置する携帯入力端末を提唱して、これを英文入力表鍵盤和文対応型と称する。【０１１３】この英文入力表鍵盤和文対応型と組み合わせられる英文入力裏鍵盤和文対応型は、したがって、英文入力裏鍵盤英文型のｂ、ｃｋｑ、ｄ、ｆ、ｇｊ、ｌ、ｍ、ｐ、の８組の字母あるいは字母の組み合わせから、ｃｋｑを取り去り、代わりにｒを加えたものとなる。【０１１４】本発明においては、この英文入力裏鍵盤すなわち本発明に言う英文入力裏鍵盤和文対応型に設定されるｂ、ｄ、ｆ、ｇｊ、ｌ、ｍ、ｐ、ｒの８組９個の字母あるいは字母の組み合わせを、基本的に五十音の順にならべた３行３列の９キー型の鍵盤を持つ携帯入力端末、すなわち、図４（ｂ）に示すように、３行３列のテンキーの９個のキーの第１行第１列にｍ、第２列にｌ、第３列にｒ、第２行第１列にｇｊ、第２列にｄ、第３列にｂ、第３行第１列に文字大小符、第２列にｐ、第３列にｆ、のキーを配置した携帯入力端末を提唱する。
「候補文字入力問題の解決」【０１１５】すでに、発明が解決しようとする課題の部分で述べたように、テンキー型の携帯入力端末における和文入力のシステムを、一般的なパソコンの入力方式と比較した場合の大きな特徴は、携帯電話の場合にもっとも特徴的に示されるように、すでに入力された字母から、あるいはすでに入力された文脈から、あるいは入力時の時間的、空間的、社会的環境から、きわめて多数の入力候補文字が画面のディスプレー上に表示され、入力者はこの入力候補文字から、必要とされる文字を選ぶシステムが発達していることである。【０１１６】すでに述べたように、これはきわめて重要な技術的発展であるが、実際にこの候補文字を選択する場合には、符号入力の場合と同様に、この候補文字の一覧を、カーソルによって捜し求めるという操作、すなわち字母入力における鍵盤操作とは異質でやや不安定、かつ一般的に操作回数の多い方法を取らざるを得ない点に問題がある。【０１１７】そこで、本発明においては、のちに提示する符号入力の場合と同様の方式、すなわち画面のディスプレー上に現実の鍵盤と同じ形で表示された入力候補群の中から、このヴァーチャルな鍵盤に対応する現実の鍵盤のキーを押し下げることによって、必要な候補を選ぶ方式を、この場合にも採用することにより、この困難を克服する。【０１１８】すなわち、携帯入力端末における和文や英文の入力中に、すでに入力された字母や文脈に基づいて、あるいは入力時の時間や環境によって、予測されあるいは推測されてディスプレーの画面に表示される候補文字を、３行３列の現実の鍵盤に対応する形で表示させ、シフトキーを押し下げたのちに、画面に表示される選ばれた候補文字の位置に対応する現実の鍵盤のキーを押し下げると、当該候補文字が入力されるように設定する。【０１１９】以上の従来の方式に対応する和文入力の場合の候補文字の配列を図７として示すが、それだけではなく、本発明が始めて提示する英文入力における相補性のある字母をふくむ単語に対する複数の候補単語入力の手続きにおいても同様に候補の単語群を３行３列の現実の鍵盤の形態に対応した形でディスプレーの画面に表示させ、シフトキーを押し下げたのちに、画面に表示された選ばれた候補文字の位置に対応する現実の鍵盤のキーを押し下げると、当該候補文字が入力されるように設定する。【０１２０】ここで、まずシフトキーを押し下るのは、符号入力の場合には、のちに触れるように、鍵盤切替キーを押し下げた時点ですでに字母を入力する鍵盤を離れて符号を入力する鍵盤に入るのに対して、候補文字の選択の場合は、候補文字は和文や英文の入力中に参考として画面に示される段階にあるので、この和文や英文の入力中の状態を脱して、候補文字の選択と入力という新しい段階に入るための手続きとして、シフトキーを押し下るのである。【０１２１】この画面の候補文字と鍵盤の対応という発明は、これとは異なった形態をもつ鍵盤の入力端末、あるいはこれより多いキー数や少ないキー数をもった鍵盤の入力端末の場合にも適用される。【０１２２】こうして当該候補文字が入力されるとただちに通常の入力状況にもどるように設定する。【０１２３】前記の場合において、画面に期待される候補文字が見つからなかった場合にはさらにもう１度、鍵盤切替キーを押し下げると、さらに新しい候補文字を配置した画面が出現し、この時点で前記と同様の操作を行うことによって、選ばれた候補文字が入力されるように設定し、必要に応じて以上の操作を繰り返して、選ばれた候補文字を入力し、入力した時点で、ただちに通常の入力状況にもどるように設定する。
「特に英文字母入力に関連する候補文字入力の問題」【０１２４】以上は、候補文字入力問題の一般的な問題であり、和文入力の場合の問題は、これによって解決されるが、本発明におけるように、複数の字母を１個のキーに割り当てることによって構成される英文鍵盤の実際の運用において問題となるのは、このような鍵盤においては、字母入力が直接には、直ちに単語の確定に結びつかないという困難である。【０１２５】たとえば、従来のパソコンあるいは携帯端末で、ｙｏｕと入力すれば、ただちにｙｏｕという単語が確定できたが、本発明においてｙｏｕと入力すれば、ｙｏｕ、ｙｏｖ、ｙｏｗ、ｉｏｕ、ｉｏｖ、ｉｏｗ、ｈｏｕ、ｈｏｖ、ｈｏｗの９通りの綴りが同時に入力されることになる。【０１２６】そこで、本発明においては、あらかじめ携帯端末の本体に英語辞書を登録しておき、ここで入力された綴りと引き当て、英単語として成立する綴りを選び出すように設定する。【０１２７】この場合には、ｙｏｕ以外に、ｙｏｗ（苦痛、驚きの間投詞）、ｈｏｗ、の２単語が英単語として成立する綴りとして選び出される。【０１２８】そこで、本体は、入力時の場面や文法、文脈に基づいて、もっともふさわしい単語を選択し、これを、これまで入力してきた本文の続きとしてディスプレー画面に表示し、残りの２単語を３行３列の鍵盤に対応する形でディスプレーの画面に表示する。【０１２９】この場合、３行３列の入力鍵盤とは異なった形態をもつ鍵盤、あるいはこれより多いキー数や少ないキー数をもった鍵盤を持つ入力端末において、入力時の場面や文法、文脈に基づいて、もっともふさわしい単語を選択し、これを、これまで入力してきた本文の続きとしてディスプレー画面に表示し、残りの２単語をそれぞれの鍵盤の形態に対応する形でディスプレーの画面に表示することも同質の発明として、本発明にふくまれる。【０１３０】前記の場合において、もし文脈からの判断として主語の位置に置かれるとする判断が、その他の判断に対して優位であれば、この場合は、ｙｏｕが本文の続きに入力され、その他のｙｏｗ（苦痛、驚きの間投詞）、ｈｏｗ、の２単語が３行３列の鍵盤に対応する形でディスプレーの画面に表示される。【０１３１】入力者が、この判断に同意する場合は、単にスペースキーを押し下げるか、決定キーを押し下げるかすることによって、このｙｏｕの本文の続きとしての入力が確定される。【０１３２】もし、入力者が、この判断に同意しない場合は、３行３列の鍵盤に対応する形でディスプレーの画面に表示されたｙｏｗ（苦痛、驚きの間投詞）、ｈｏｗ、の２単語の中から適当な単語を選び、まずシフトキーを押し下げたのちに、この単語が表示された位置に対応する現実の鍵盤のキーを押し下げることによって、この単語が入力され、決定される。【０１３３】この場合、直ちにこの単語が表示された位置に対応する現実の鍵盤のキーを押し下げることなく、まずシフトキーを押し下げるのは、この時点は本文の入力がなされる位相にあるので、この位相から離れて、ディスプレーの画面に表示された単語の中から適当な単語を選ぶ位相に入る為である。【０１３４】ほとんどありえないことではあるが、もし前記の場合において、ディスプレーの画面に表示されたヴァーチャルな鍵盤のなかに期待される候補文字あるいは単語が見つからなかった場合には、引き続き連続して鍵盤切替キーを押し下げると、その度にさらに新しい候補文字あるいは単語を配置した画面が出現するように設定する。【０１３５】もし前記の場合のすでに鍵盤切替キーを押し下げている時点において、目的とする候補文字あるいは単語が見いだされれば、その時点ですでに字母入力の次元を離れているので、これまでとは異なり、シフトキーを押し下げることなく、ディスプレー上に表示された選ぶべき候補の文字あるいは単語の位置に対応する鍵盤上のキーを押し下げると、その文字あるいは単語が入力されると同時に、その入力が確定するように設定する。【０１３６】３行３列の入力鍵盤とは異なった形態をもつ鍵盤、あるいはこれより多いキー数や少ないキー数をもった鍵盤においても、同様の場合において、ディスプレーの画面に表示されたなかに期待される候補文字あるいは単語が見つからなかった場合には、引き続き連続して鍵盤切替キーを押し下げると、その度にさらに新しい候補文字あるいは単語を配置した画面が出現し、この時点で前記の場合と同様に、まずシフトキーを押し下げた後に、ディスプレー上に表示された選ぶべき候補の文字あるいは単語の位置に対応する現実の鍵盤上のキーを押し下げると、その文字あるいは単語が入力されると同時に、その入力が確定するように設定する。【０１３７】以上の場合において、当該候補文字あるいは単語の入力が決定されるとただちにそれまでに行われていた通常の入力状況にもどるように設定する。【０１３８】同様の場合において、３行３列の入力鍵盤とは異なった形態をもつ鍵盤、あるいはこれより多いキー数や少ないキー数をもった鍵盤においても、当該候補文字あるいは単語が入力されるとただちにそれまでに行われていた通常の入力状況にもどるように設定する。【０１３９】もう一度、問題を詳しく観察するために、もう少し引き当ての対象となる綴りが多くなる場合として、たとえば、この３行３列の９キー型の鍵盤を持つ携帯入力端末において、ｉｎｖｅｎｔｉｏｎと入力する場合について説明すると次のようになる。【０１４０】まず、ｉｎｖｅｎｉｏｎのｉについては、ｈ、ｉ、ｙの３個の字母が同時に入力され、ついで、ｎはそのまま、ｖはｕ、ｖ、ｗの３個の字母が同時に入力され、ｅはそのまま、ｎもそのまま、ｉはｈ、ｉ、ｙの３個の字母が同時に入力され、ｏはそのまま、ｎもそのまま入力される。【０１４１】したがって、入力される綴りは、ｈｎ、ｉｎ、ｙｎ、の３個の組み合わせ、ｖｅｎ、ｕｅｎ、ｗｅｎ、の３個の組み合わせ、ｔｉｏｎ、ｔｈｏｎ、ｔｙｏｎ、の３個の組み合わせをそれぞれ組み合わせた２７通りの綴りとなる。【０１４２】それらを、以下に示すと、ｈｎｖｅｎｔｉｏｎ、ｈｎｖｅｎｔｈｏｎ、ｈｎｖｅｎｔｙｏｎ、ｈｎｕｅｎｔｉｏｎ、ｈｎｕｅｎｔｈｏｎ、ｈｎｕｅｎｔｙｏｎ、ｈｎｗｅｎｔｉｏｎ、ｈｎｗｅｎｔｈｏｎ、ｈｎｗｅｎｔｙｏｎ、ｉｎｖｅｎｔｉｏｎ、ｉｎｖｅｎｔｈｏｎ、ｉｎｖｅｎｔｙｏｎ、ｉｎｕｅｎｔｉｏｎ、ｉｎｕｅｎｔｈｏｎ、ｉｎｕｅｎｔｙｏｎ、ｉｎｗｅｎｔｉｏｎ、ｉｎｗｅｎｔｈｏｎ、ｉｎｗｅｎｔｙｏｎ、ｙｎｖｅｎｔｙｏｎ、ｙｎｖｅｎｔｈｏｎ、ｙｎｖｅｎｔｙｏｎ、ｙｎｕｅｎｔｉｏｎ、ｙｎｕｅｎｔｈｏｎ、ｙｎｕｅｎｔｙｏｎ、ｙｎｗｅｎｔｉｏｎ、ｙｎｗｅｎｔｈｏｎ、ｙｎｗｅｎｔｙｏｎ、の２７個の綴りである。【０１４３】これらの綴りを携帯入力端末にあらかじめ登録してある辞書と引き当てると、これらの２７通りの綴りの中で、英単語として成立するのは、ｉｎｖｅｎｔｉｏｎという綴りだけであることが分かり、ｉｎｖｅｎｔｉｏｎという単語が正しく入力される。【０１４４】複数の入力候補が出現する例として、たとえば、ｆｏｒｔｙという単語を入力する場合がある。【０１４５】この場合は、複数の入力がなされるのは、ｙという綴りだけであり、ｆｏｒｔｙ、ｆｏｒｔｈ、ｆｏｒｔｉの３個の綴りを携帯入力端末にあらかじめ登録してある辞書と引き当てると、これらの３通りの綴りの中で、英単語として成立するのは、ｆｏｒｔｙ、ｆｏｒｔｈという２個のつづりであることが分かるが、入力中の綴りとしてはｆｏｒｔｉという場合もありうるので、この２個の単語と一個の未完成の綴りが入力候補となる。【０１４６】たとえば、入力時の場面や文脈に基づいて、ｆｏｒｔｙの方が有力な候補であると判断される場合には、このｆｏｒｔｙの方が本文の続きとして表示され、ｆｏｒｔｈとｆｏｒｔｉの方は、３行３列の鍵盤に対応する形でディスプレーの画面に表示される。【０１４７】すなわち、ｆｏｒｔｈの方は、ディスプレーの画面に表示される３行３列の鍵盤の最上端、最左端に表示され、ｆｏｒｔｉの方はその右の列、すなわち３行３列の鍵盤の第１行第２列に表示される。【０１４８】ここで、入力者がたとえばｆｏｒｔｙの方を選ぶ場合は、そのままスペースキーあるいは決定キーを押し下げるとｆｏｒｔｙが入力され、確定される。【０１４９】ここで、入力者がｆｏｒｔｈの方を選ぶ場合は、まずシフトキーを押し下げてから、ディスプレーの画面に表示される３行３列の鍵盤の最上端、最左端に対応する現実の鍵盤の最上端、最左端のキーを押し下げれば、ｆｏｒｔｈが入力され、確定される。【０１５０】本発明における、英文中での字母の出現率や、それに依拠する本方式による入力のタッチ数を検証する場合に、このような英文におけるアルファベット字母の出現頻度を確認するために、ほぼスタンダードな英語と見なしうるものとして、インターネット上のアメリカ合衆国憲法、およびそれに関連する行事の紹介の英文をアトランダムに集成して、そこでのアルファベット字母の出現頻度を検討している。【０１５１】ここでは、まずこのアメリカ合衆国憲法の前文の出だしの部分を取り上げて、実際に本発明がどの程度の実用性を持つものかを試験的に簡単に検証する。【０１５２】アメリカ合衆国憲法の前文の出だしの部分は、Ｗｅ  ｔｈｅ  ｐｅｏｐｌｅ  ｏｆ  ｔｈｅ  Ｕｎｉｔｅｄ  Ｓｔａｔｅｓ，ｉｎ  ｏｒｄｅｒ  ｔｏ  ｆｏｒｍ  ａ  ｍｏｒｅ  ｐｅｒｆｅｃｔ  Ｕｎｉｏｎ，ｅｓｔａｂｌｉｓｈ  ｊｕｓｔｉｃｅで始まっている。【０１５３】このなかで、１個のキーに複数の字母が設定されている単語は、Ｗｅ、ｔｈｅ、ｔｈｅ、Ｕｎｉｔｅｄ、Ｓｔａｔｅｓ、ｉｎ、ｐｅｒｆｅｃｔ、Ｕｎｉｏｎ、ｅｓｔａｂｌｉｓｈ、ｊｕｓｔｉｃｅの１０個である。【０１５４】Ｗｅの場合��、ｗｅ、ｖｅ、ｕｅの３個の綴りが同時に入力され、このなかで英語として成立するｗｅのみが本文として仮入力され、入力者がスペースキーを打てばそのまま確定するので、一般的な入力の場合と基本的に同一である。【０１５５】ｔｈｅの場合はｔｈｅ、ｔｙｅ（海運の述語でヤードを上げ下げする鎖）、ｔｉｅ（結ぶ）の３個の綴りが同時に英語として成立するが、文脈や使用頻度からｔｈｅが本文として仮入力され、ｔｉｅとｔｙｅが画面のディスプレーに表示され、入力者がスペースキーを打ってそのまま確定された場合は、一般的な入力の場合と基本的に同一であり、ｔｉｅが本文の続きとして仮入力された場合は、シフトキーを押してヴァーチャルな入力画面からこれを選択するので、一般的な入力の場合より１個余分にキーが押し下げられる。【０１５６】Ｕｎｉｔｅｄの場合は、ｕｎｉｔｅｄ、ｖｎｉｔｅｄ、ｗｎｉｔｅｄの３個の綴りが同時に入力され、このなかで英語として成立するｕｎｉｔｅｄのみが本文として仮入力され、入力者がスペースキーを打てばそのまま確定するので、一般的な入力の場合と基本的に同一である。【０１５７】Ｓｔａｔｅｓの場合は、ｓｔａｔｅｓ、ｘｔａｔｅｓ、ｚｔａｔｅｓ、ｓｔａｔｅｘ、ｓｔａｔｅｚ、ｘｔａｔｅｘ、ｘｔａｔｅｚ、ｚｔａｔｅｘ、ｚｔａｔｅｚの９個の綴りが同時に入力され、このなかで英語として成立するｓｔａｔｅｓのみが本文として仮入力され、入力者がスペースキーを打てばそのまま確定するので、一般的な入力の場合と基本的に同一である。【０１５８】ｉｎの場合は、ｉｎ、ｙｎ、ｈｎの３個の綴りが同時に入力され、このなかで英語として成立するｉｎのみが本文として仮入力され、入力者がスペースキーを打てばそのまま確定するので、一般的な入力の場合と基本的に同一である。【０１５９】ｐｅｒｆｅｃｔの場合は、ｐｅｒｆｅｃｔ、ｐｅｒｆｅｋｔ、ｐｅｒｆｅｑｔの３個の綴りが同時に入力され、このなかで英語として成立するｐｅｒｆｅｃｔのみが本文として仮入力され、入力者がスペースキーを打てばそのまま確定するので、一般的な入力の場合と基本的に同一である。【０１６０】Ｕｎｉｏｎの場合は、ｕｎｉｏｎ、ｙｎｉｏｎ、ｈｎｉｏｎ、ｕｎｙｏｎ、ｕｎｈｏｎ、ｙｎｙｏｎ、ｙｎｈｏｎ、ｈｎｙｏｎ、ｈｎｈｏｎの９個の綴りが同時に入力され、このなかで英語として成立するｕｎｉｏｎのみが本文として仮入力され、入力者がスペースキーを打てばそのまま確定するので、一般的な入力の場合と基本的に同一である。【０１６１】ｅｓｔａｂｌｉｓｈの場合は、ｅｓで３種類、ｔａｂｌｉで３種類、ｓで３種類、ｈで３種類の綴りが成立し、これらを掛け合わせた、ｅｓｔａｂｌｉｓｙ、ｅｓｔａｂｌｉｓｉから始まって、合計８１通りの綴りが入力される。【０１６２】この８１通りの綴りを全て書き出すのは煩瑣を極める。【０１６３】そこで、まずｔａｂｌの部分を含む単語が幾通り存在するかを、同じ合衆国憲法関係の文献をはじめとする文献によって検索してみる。【０１６４】その結果は、ｔａｂｌの部分を含む単語として存在するのは、ｔａｂｌｅ、ｅｓｔａｂｌｉｓｈ、ｎｏｔａｂｌｅ、ｃｏｍｆｏｒｔａｂｌｅ、ｐｒｏｆｉｔａｂｌｅ、ｓｕｉｔａｂｌｅ等の限られた単語であり、さ��にｔａｂｌｉ、ｔａｂｌｙ、ｔａｂｌｈまで広げて検索すると、ｔａｂｌｈを含む単語は存在せず、ｔａｂｌｉを含む単語はｅｓｔａｂｌｉｓｈのみ、ｔａｂｌｙを含む単語は、ｎｏｔａｂｌｙ、ｃｏｍｆｏｒｔａｂｌｙ、ｐｒｏｆｉｔａｂｌｙ、ｓｕｉｔａｂｌｙに限られる。【０１６５】これらの、ｅｓｔａｂｌｉｓｈ以外の単語は、語頭にｅｓ、ｅｘ、ｅｚのいずれかの綴りを持つという条件に適合せず、また語尾に、ｓｈ、ｓｙ、ｓｉ、ｘｈ、ｘｙ、ｘｉ、ｚｈ、ｚｙ、ｚｉのいずれかの綴りを持つという条件に適合しない。【０１６６】したがって、本発明の方法によって、ｅｓｔａｂｌｉｓｈを入力した場合は、８１通りの綴りが可能性として存在するが、実際にこのなかで英語として成立するｅｓｔａｂｌｉｓｈのみが本文として仮入力され、入力者がスペースキーを打てばそのまま確定するので、一般的な入力の場合と基本的に同一である。【０１６７】ｊｕｓｔｉｃｅの場合は、ｊで２種類、ｕで３種類、ｓで３種類、ｉで３種類、ｃで３種類の綴りが成立し、これらを掛け合わせた、合計１６２通りの綴りが入力される。【０１６８】この１６２通りの綴りを全て書き出すのは一層煩瑣を極める。【０１６９】そこで、このｊｕｓｔｉｃｅの綴りを、その入力を受け持つキーごとに、ｊｇ−ｕｖｗ−ｓｘｚ−ｔ−ｈｉｙ−ｃｋｑ−ｅと分解して、まず最初の、ｊｇ−ｕｖｗ−ｓｘｚ−ｔの部分の入力で単語が特定できるか否かを検証する。【０１７０】この、ｊｇ−ｕｖｗ−ｓｘｚ−ｔの４個の要素を組み合わせると、２×３×３×１で、１８通りの組み合わせが成立する。【０１７１】それらは、ｊｕｓｔ、ｊｕｘｔ、ｊｕｚｔ、ｊｖｓｔ、ｊｖｘｔ、ｊｖｚｔ、、ｊｗｓｔ、ｊｗｘｔ、ｊｗｚｔ、ｇｕｓｔ、ｇｕｘｔ、ｇｕｚｔ、ｇｖｓｔ、ｇｖｘｔ、ｇｖｚｔ、、ｇｗｓｔ、ｇｗｘｔ、ｇｗｚｔ、の１８種類の綴りである。【０１７２】これらの同時に入力される１８種類の綴りのなかで英語として成立するのは、ｊｕｓｔ、ｊｕｘｔａ（近いという意味の連結形）、ｇｕｓｔ（好み、味覚），のみである。【０１７３】これらの３個の綴りのなかで、ｊｕｘｔａは、ｔのあとにａではなくｈｉｙが入力されるので、この段階で消え去り、ｇｕｓｔはそのあとにくる３字母としては、ａｖｅを要求して、ｇｕｓｔａｖｅ（男子の名）となる以外の綴りはありえないので、これも失格である。【０１７４】こうして、実際にはｊｕｓｔｉｃｅが本文として仮入力され、入力者がスペースキーを打てばそのまま確定するので、一般的な入力の場合と基本的に同一である。【０１７５】以上によって、この９キーの入力キーによって、普通のパソコンとあまり変わらない形で英文が入力できることが明らかになった。【０１７６】ただ、このような状況は、英文字母の英語単語綴りにおける相補性を基礎にしているので、このような相補性を持たないカタカナ綴りの日本語の単語を、このシステムで入力する際には大きな困難が起こる。【０１７７】たとえば、（Ｍｒｓ．）Ｙｏｓｈｉｋｏ  Ｉｓｈｉｉという綴りを、このまま姓名ともに一気に入力した場合は、３×３×３×３×３×３×３×３×３×３＝５９０４９通りの綴りが出現し、そのなかの相当数の綴りが実際に日本語中に存在するであろうと予想される。【０１７８】そこで、このような困難を避けるために、このシステムによって外来語、とりわけ印欧語系以外の外来語を入力する際には、これらの、ｈｉｙ、ｓｘｚ、ｕｖｗ、ｃｋｑ等のキーを押し下げた場合は、適当にその入力の途中で、ディスプレーの画面に表示された入力候補の文字あるいは単語を確定することにする。【０１７９】たとえば、（Ｍｒｓ．）Ｙｏｓｈｉｋｏ  Ｉｓｈｉｉという綴りを入力する際には、ｙｏｓが入力された段階で、９通りの綴りが、本文の続き、あるいはそれとは別の位置のディスプレーの画面に表示されるので、この段階で所定の手続に従って、選ぶべき綴りを確定する。【０１８０】続いて、ｈｉ、ｋｏ、ｉｓ、ｈｉ、ｉと区切って入力すれば、これだけの綴りを入力するのに、一般的なパソコンに比べて、１回の入力に対して、シフトキーを１度、字母キーを１度、合計２度の押し下げが、６回余分に繰り返されることになる。【０１８１】すなわちこの場合には、１２個の字母の入力に対して、一般的なパソコンに比べて、６回多いキーの余分な押し下げが必要となるが、このような場面はあまり多くは出現しない。
「符号入力問題の解決」【０１８２】次の問題は、本発明の和文入力、英文入力ともに、その９キーには、句読点や括弧あるいはコンマやピリオド等の、符号が含まれていないという点である。【０１８３】この点に関しては、本発明は、入力候補文字の選択、決定の場合と同様に、画面のディスプレー上にヴァーチャルな符号入力鍵盤を設定することによって解決する。【０１８４】すなわち、画面のディスプレー上に呼び出されたヴァーチャルな符号入力鍵盤において、必要とされるキーを探し出し、それに対応する位置にある現実のきーを押し下げることによって、必要な符号を入力するのである。【０１８５】この問題を従来の方式との対比によって、より具体的に説明すれば、以下のようになる。【０１８６】先に発明の解決すべき課題の提示として触れたように、９キー型あるいは従来のテンキー型の携帯入力端末における符号入力の困難は、すでに五十音の字母や五十音を表すアルファベット字母、あるいは英文入力のためのアルファベット２６字母の表記で埋め尽くされた鍵盤には、符号を表記する十分な余地が無く、必然的に画面のディスプレーに符号を表示して、この符号あるいは符号一覧を、カーソルによって捜し求めるという操作、すなわち字母入力における鍵盤操作とは異質でやや不安定、かつ一般的に操作回数の多い方法を取らざるを得ない点にある。【０１８７】本発明はこの点について、和文入力鍵盤や英文入力鍵盤等の字母入力鍵盤とは別に、符号鍵盤すなわちもっぱら符号を入力するためのヴァーチャルな鍵盤を設定し、別に設けた鍵盤切替キーを押し下げて、この符号鍵盤に入ることによって、上記の問題を解決する。【０１８８】この場合、現実のハードキーにはすでにアルファベット字母、平仮名字母、数字等が表記されているので、ここで設定された符号を現実のハードキーに表記することはできないので、本発明においては、入力候補文字の選択、決定の場合と同様に、画面のディスプレー上に、ヴァーチャルな符号鍵盤を表示することになる。【０１８９】一般的な携帯入力端末の場合には、この画面のディスプレー上に表示された符号を、カーソルキーによってたどって確定する方式が取られているが、この方式では字母入力の場合のように直接にキーを押し下げて入力する方式に比して、入力操作が不安定であり、画面のディスプレー上に表示された当該符号にたどり着くまでのジョグキー等の押し下げ回数は相当に多くなるのが普通である。【０１９０】そこで本発明においては、この画面のディスプレー上に表示された符号鍵盤と現実の鍵盤とを対応させ、この画面のディスプレー上に表示された符号鍵盤のなかの必要とされるキーに対応する位置にある現実のキーを押し下げることによって、必要とされるきーが入力されるように設定する。【０１９１】この発明によって、和文、英文あるいは数字の入力中に、鍵盤切替キーを一度押し下げるだけで、３行３列計９個の符号から必要な符号を選択して入力することが可能となり、さらに鍵盤切替キーを連続してＮ度押し下げることにより、９個のＮ倍の符号を選択対象とすることが可能となり、符号入力操作が大幅に合理化される。【０１９２】以上の場合に注意を促しておきたいことは、英文、和文等の字母入力中に候補文字を選択する場合には、その初発の段階においてシフトキーを押し下げたのちにヴァーチャルな鍵盤に対応する吟実のキーを押し下げるという動作があり、この段階で対象が見つからない場合にはじめて鍵盤切替キーを押し下げるので、字母入力中に直ちに鍵盤切替キーを押し下げて入る符号入力とは操作方法が異なっているので、両者の間には混乱が生じないという点である。【０１９３】以上に示したのは、本発明における符号入力問題の解決の骨格部分であるが、その内容をより具体的に説明すると、以下のようになる。【０１９４】本発明における３行３列の９キー型の携帯入力端末において、和文入力中、英文入力中、数字入力中それぞれの場合に、符号入力が必要とされる場面において、それぞれの字母が入力決定された後に鍵盤切替キーを所定の回数連続して押し下げることによって、その押し下げ回数に従って必要な符号鍵盤が呼び出されるように設定する。【０１９５】まず、本発明における３行３列の９キー型の携帯入力端末において、和文入力中に、前記の鍵盤切替キーを１度押し下げることによって入る符号鍵盤の内容を、基本的に和文入力においてのみ使用する符号を載せたものとし、これを和文符号基本鍵盤と称するが、その内容は、、（読点）、。（句点）、「」、『』、々、〃、ゝ、＊、＃の９個の符号からなるものとする。【０１９６】この和文符号基本鍵盤は、図８に示すように、３行３列の９キーの第１行第１列に、、（読点）、第２列に。（句点）、第３列に々、第２行第１列に「」、第２列に『』、第３列に〃、第３行第１列に＊、第２列にゝ、、第３列に＃を設定する。【０１９７】本発明における３行３列の９キー型の携帯入力端末における数字入力ならびに数字符号の入力においては、字母入力に使用する３行３列の９キーでは、９個の数字しか入力できないという困難があるので、本発明においては、図５に示すように、字母入力の場合にシフトキーとして用いるキーを、数字入力の場合には数字の０を入力することにするが、これは、数字入力そのものにおいては、キーの押し下げがそのまま確定された入力となるので、この場合にはシフトキーの設定が不要となるからであり、数字入力中に鍵盤切替キーを押し下げて符号入力の次元に入って後は、そのヴァーチャルな鍵盤は３行３列の９キー型となり、シフトキーの昨日は復活する。【０１９８】３行３列の９キー型の携帯入力端末において、上記の鍵盤を用いた数字入力中に、鍵盤切替キーを１度押し下げることによって入る符号鍵盤すなわち本発明に言う数字基本符号鍵盤の内容を、ｆ（ｘ）、ｆ’（ｘ）、∴、∵、∫、∬、∂、＊、＃、の９個の符号からなるものとし、図９に示すように、３行３列の９キーの第１行第１列にｆ（ｘ）を、第２列にｆ’（ｘ）を、第３列に∴を、第２行第２列に∫を、第２列に∬を、第３列に∵を、第３行第１列に＊を、第２に∂を、第３列に＃を設定する。【０１９９】本発明における３行３列の９キー型の携帯入力端末において、和文入力中、数字入力中それぞれの場合に、符号入力が必要とされる場面において、鍵盤切替キーを２度連続して押し下げることによって呼び出される符号鍵盤から４回あるいはそれ以上の回数を押し下げて呼び出される符号鍵盤までの鍵盤、ならびに英文入力中に鍵盤切替キーを１度押し下げることによって呼び出される符号鍵盤から３回あるいはそれ以上の回数を押し下げて呼び出される符号鍵盤までの鍵盤の内容を、入力種にかかわり無く、同一の内容とする。【０２００】前記において、和文入力中、数字入力中の過程において、それぞれの場合に、鍵盤切替キーを連続２度押し下げることによって入る符号鍵盤、および英文入力中に鍵盤切替キーを１度押し下げることによって呼び出される鍵盤、すなわち本発明に言う符号第１鍵盤の内容を、和文入力、英文入力、数字入力全ての場合に同一の、英文の基本符号とインターネット関係の符号からなるものとする。【０２０１】前記の本発明に言う符号第１鍵盤の内容を、具体的には、，（コンマ）、．（ピリオド）、：（コロン）、；（セミコロン）、／（スラッシュ）、‐（ハイフン）、？（疑問符）、＠、！（感嘆符）の合計９個の符号とし、図１０に示すように、３行３列の９キーの第１行第１列に，（コンマ）を、第２列に．（ピリオド）を、第３列に／（スラッシュ）を、第２行第２列に：（コロン）を、第２列に；（セミコロン）を、第３列に‐（ハイフン）を、第３行第１列に？（疑問符）を、第２列に＠を、第３列に！（感嘆符）を設定する。【０２０２】前記において、和文入力中、数字入力中の過程において、それぞれの場合に、鍵盤切替キーを連続３度押し下げることによって入る符号鍵盤、および英文入力中に鍵盤切替キーを連続２度押し下げることによって呼び出される鍵盤、すなわち本発明に言う符号第２鍵盤の内容を、和文入力、英文入力、数字入力全ての場合に同一の、括弧符号を中心とする符号を主とするものとする。【０２０３】前記の本発明に言う符号第２鍵盤の内容を、具体的には、‘’、“”、（）、｛｝、［］、＜＞、【】、《》、・（ナカグロ）の９個の符号とし、図１１に示すように、３行３列の９キーの第１行第１列に‘’を、第２列に“”を、第３列に（）を、第２行第１列に｛｝を、第２列に［］を、第３列に＜＞を、第３行第１列に【】を、第２列に《》を、第３列に・（ナカグロ）を設定する。【０２０４】前記において、和文入力中、数字入力中の過程において、それぞれの場合に、鍵盤切替キーを連続４度押し下げることによって入る符号鍵盤、および英文入力中に鍵盤切替キーを連続３度押し下げることによって呼び出される鍵盤、すなわち本発明に言う符号第３鍵盤の内容を、和文入力、英文入力、数字入力全ての場合に同一の、基本的な数学符号を中心とするものとする。【０２０５】前記の本発明に言う符号第３鍵盤の内容を、具体的には、＋、−、±、×、÷、≡、＝、≒、≠、の９個の符号とし、図１２に示すように３行３列の９キーの第１行第１列に＋を、第２列に−を、第３列に±を、第２行第１列に×を、第２列に÷を、第３列に≡を、第３行第１列に＝を、第２列に≒を、第３列に≠を、設定する。【０２０６】以上全ての３行３列の９キー型の携帯入力端末において呼び出される符号鍵盤すなわち和文基本符号鍵盤と数字入力基本符鍵盤および、符号第１鍵盤から符号第３鍵盤までの和文入力、英文入力、数字入力の３種の入力種に共通する符号鍵盤において、それが呼び出された際に、３行３列の９キー型の鍵盤に対応した形態をもって、ディスプレーの画面上に表示されるように設定する。【０２０７】本発明によって、一般に、３行３列の入力鍵盤とは異なった形態をもつ鍵盤、あるいはこれより多いキー数や少ないキー数をもった鍵盤においても、それぞれの符号鍵盤を、それが呼び出された際に、それぞれの現実の鍵盤に対応した形態をもって、ディスプレーの画面上に表示されるように設定することができるようになった。【０２０８】以上において、ディスプレーの画面上に表示される符号鍵盤が、半透明で入力画面にかぶさる形で、あるいは不透明で入力画面のいずれか適当な部位（たとえば画面の下部）に置かれる形で、ディスプレーの画面上に表示されるように設定する。【０２０９】本発明によって、一般に、３行３列の入力鍵盤とは異なった形態をもつ鍵盤、あるいはこれより多いキー数や少ないキー数をもった鍵盤においても、それぞれの符号鍵盤が、それぞれの鍵盤に対応した形態をもって、半透明で入力画面にかぶさる形で、あるいは不透明で入力画面のいずれか適当な部位（たとえば画面の下部）に置かれる形で、ディスプレーの画面上に表示されるように設定することができるようになった。【０２１０】以上において、画面に表示された諸符号のなかで現在入力対象として必要とされる符号の位置に対応した位置にある現実の鍵盤上のキーを押しさげると、その符号が入力されるように設定する。【０２１１】本発明によって、一般に、３行３列の入力鍵盤とは異なった形態をもつ鍵盤、あるいはこれより多いキー数や少ないキー数をもった鍵盤においても、画面に表示された諸符号のなかで現在入力対象として必要とされる符号の位置に対応した位置にある現実の鍵盤上のキーを押しさげると、その符号が入力されるように設定することができるようになった。【０２１２】以上において、符号の位置に対応した位置にある現実の鍵盤上のキーを押し下げて、その符号が入力されると直ちに元の入力中の設定に戻るように設定する。【０２１３】本発明によって、一般に、３行３列の入力鍵盤とは異なった形態をもつ鍵盤、あるいはこれより多いキー数や少ないキー数をもった鍵盤においても、符号の位置に対応した位置にある現実の鍵盤上のキーを押し下げて、その符号が入力されると直ちに元の入力中の設定に戻るように設定することができるようになった。
【発明の効果】「和文入力の場合」【０２１４】以上のような本発明によって、和文入力の場合に、３行３列の９個のキーにパソコンの場合の２６個の字母入力キーとそれ以外の相当数の符号キーを合わせたものに近い入力機能を持たせることが可能となった。【０２１５】より具体的に言えば、たとえば、「発明の効果  和文入力の場合」と平仮名で入力する場合に、普通の英文字母２６文字を設定した、いわゆるｑｗｅｒｔｙボードを使用したパソコンの場合には、「ｈ、ａ、ｔ、ｕ、ｍ、ｅ、ｉ、ｎ、ｏ、ｋ、ｏ、ｕ、ｋ、ａ  ｗ、ａ、ｂ、ｕ、ｎ、ｎ、ｎ、ｙ、ｕ、ｕ、ｒ、ｙ、ｏ、ｋ、ｕ、ｎ、ｏ、ｂ、ａ、ａ、ｉ」となって、ここで読点で区切られた字数の回数、すなわち３５度のキーの押し下げによって、この文章は入力される。【０２１６】これに対して、この「発明の効果  和文入力の場合」と平仮名で入力する場合に、本発明による３行３列の９個のキーをもつ鍵盤の場合には、「ｈ、ａ、ｔ、ｕ、ｍ、ｅ、子音符ｉ、ｎ、ｏ、ｋ、ｏ、子音符、ｕ、ｋ、ａ  ｗ２、ａ、ｂ、ｕ、子音符、鼻音符、ｎ、ｙ、ｕ、ｒ、ｙ、ｏ、ｋ、ｕ、ｎ、ｏ、ｂ、ａ、子音符、ａ、子音符ｉ」となって、ここで読点で区切られた字数の回数にｗを呼び出すための１度のキーの押し下げの追加を足して、３９度のキーの押し下げによって、この文章は入力される。【０２１７】すなわち、本発明による３行３列の９キーを用いた携帯入力端末は、キー数が３倍以上の一般のパソコンに対して、３９÷３５＝１．１１４３の計算で、わずか一割強のキーの押し下げ数で同じ内容の入力が可能である。【０２１８】また、本発明の場合には、子音用の鍵盤も母音用の鍵盤もともに五十音順の配列を取っているので、すくなくとも日本人にとっては、いわゆるｑｗｅｒｔｙボードを使用する場合よりは抵抗感が無くて近づきやすく、また入力の際の神経の疲労が軽減される。
「英文入力の場合」【０２１９】本発明の英文入力における第一の特徴は、アルファベットに関して、１７個の字母あるいは字母の組み合わせの所在を把握するだけでよいので、通常のアルファベット入力に比して、入力方法の習得が簡単であり、ただ１度の鍵盤切替によって、全ての英文字母が呼び出せるため、通常のテンキーの場合のキー配置に比して、入力速度が格段に速いという点にある。【０２２０】より具体的に言えば、たとえば、「ｔｈｅ  ｅｆｆｅｃｔ  ｏｆ  ｔｈｅ  ｉｎｖｅｎｔｉｏｎ  ｉｎ  ｔｈｅ  ｃａｓｅ  ｏｆ  Ｅｎｇｌｉｓｈ  ｉｎｐｕｔ」とアルファベットで入力する場合に、普通の英文字母２６文字を設定した、いわゆるｑｗｅｒｔｙボードを使用したパソコンの場合には、両者に共通するスペースキーの入力を除き、ＥｎｇｌｉｓｈのＥの大文字化の手数を加えれば、字母の個数４６に１を加えて、４７度のキーの押し下げによって、この文章は入力される。【０２２１】これに対して、本発明による３行３列の９個のキーをもつ９キー鍵盤の場合には、この「ｔｈｅ  ｅｆｆｅｃｔ  ｏｆ  ｔｈｅ  ｉｎｖｅｎｔｉｏｎ  ｉｎ  ｔｈｅ  ｃａｓｅ  ｏｆ  Ｅｎｇｌｉｓｈ  ｉｎｐｕｔ」とアルファベットで入力する場合には、１字母を入力するのに必要なキーの押し下げ数を字母の後ろの括弧のなかに入れて示すと、まったく入力候補鍵盤への参照が無かったばあいには、
「ｔ（１）ｈ（１）ｅ（１）ｅ（１）ｆ（２）ｆ（２）ｅ（１）ｃ（２）ｔ（１）ｏ（１）ｆ（２）
ｔ（１）ｈ（１）ｅ（１）ｉ（１）ｎ（１）ｖ（１）ｅ（１）ｎ（１）ｔ（１）ｉ（１）ｏ（１）ｎ（１）ｉ（１）ｎ（１）ｔ（１）ｈ（１）ｅ（１）ｃ（２）ａ（１）ｓ（１）ｅ（１）ｏ（１）ｆ（２）Ｅ（１）ｎ（１）ｇ（２）ｌ（２）ｉ（１）ｓ（１）ｈ（１）ｉ（１）ｎ（１）ｐ（２）ｕ（１）ｔ（１）」となって、合計５５度のキーの押し下げによって、この文章は入力される。【０２２２】そして、実際にも、ｅｆｆｅｃｔに対してｅｆｆｅｑｔ、ｅｆｆｅｋｔ、ｃａｓｅに対してｑａｓｅ、ｋａｓｅという綴りは成立せず、ｉｎｖｅｎｔｉｏｎについてもすでに触れたようにこれに代わる綴りは成立せず、ｏｆの場合はもともと１字母１キーで入力され、Ｅｎｇｌｉｓｈの場合はＥｎｇｌに代わるＥｎｊｌの綴りは成立せず、Ｅｎｇｌという綴りが成立した以上、その後にはｉｓｈが続くことになり、ｉｎｐｕｔの場合には、ｉｎｐに代わるｈｎｐやｙｎｐの綴りが無く、ｉｎｐの後にｖｔやｗｔの綴りが続くことも無いので、これらの単語はまったく入力候補鍵盤への参照なしに入力されるので、実際にはｔｈｅの場合にｔｈｅ、ｔｙｅ、ｔｉｅの３単語から１単語を選択する場合にシフトキーを１度、余分に押し下げる可能性が残り、最大限合計５６度のキーの押し下げによって、この文章は入力される。【０２２３】なお、ここでは、Ｅｎｇｌｉｓｈの場合の大文字があり、これは通常のパソコンの場合はシフトキーを押し下げながら入力するので２度のキーの押し下げが必要となり、実際の入力行為としては普通の２度のキーの押し下げより心理的負担は大きいが、とりあえずこれを２度のキーの押し下げとすると、本発明の場合は入力後に鍵盤切替キーを押し下げて英文入力裏鍵盤に入り、さらにそこで文字大小符を押し下げるので、２度の余分なキーの押し下げが必要となり、合計のキー押し下げ数は、５７度となる。【０２２４】これは、通常のパソコンの場合の４７度の１２３パーセント強となり、本発明による３行３列の９個のキーをもついわゆるテンキー鍵盤の場合には、通常のパソコンの場合の２割増しほどの押し下げ数で同様の内容の入力が可能となる。【０２２５】この割合は、本発明に言う英文入力表鍵盤に設定されたアルファベット字母と英文入力裏鍵盤に設定されたアルファベット字母の英語の文章中での出現率の比率によって規定されており、この点の詳細については、英文入力の原理的な説明の部分で詳しくデータを示すが、ここで挙げた比率はより大量のデータによって検証した場合もほぼ同様である。【０２２６】従来の携帯端末の入力方式との比較においては、英文入力における本発明の優位性は和文入力の場合のそれ以上に明瞭であるが、その点は後述に譲るとして、ただ一つ、従来の入力方法では、五十音を基礎とする和文入力と、１キーに３個乃至４個のアルファベット字母を設定した英文入力方式の間には、まったく操作上の共通性が無かったのに対して、本発明の場合には同一鍵盤中のキーの入力は、すべて１度のキーの押し下げによってなされるので、和文入力と英文入力が、その操作上、一定の共通性をもつに至ったことを指摘したい。【０２２７】上記の共通性は、従来の方式に比して、日本人が英語を入力し、欧米人が日本語を入力する際の心理的抵抗を著しく低減するものと予想される。
「符号入力の場合」【０２２８】符号鍵盤による符号入力の状況をまとめれば、次のようになる。【０２２９】まず、和文入力鍵盤と数字入力鍵盤においては、字母入力決定後に鍵盤切替キーを１度押し下げて呼び出されるところの和文基本符号鍵盤と数字基本符号鍵盤はともに９個の符号を提供し、画面に表示された諸符号のなかで現在入力対象として必要とされる符号の位置に対応した位置にある現実の鍵盤上のキーを押しさげると、その符号が入力される。【０２３０】すなわち、和文基本符号鍵盤と数字基本符号鍵盤においては、９個の符号が２度のキーの押し下げによって入力される。【０２３１】ついで、和文入力鍵盤と数字入力鍵盤においては、鍵盤切替キーを２度連続して押し下げて呼び出され、英文入力鍵盤においては、鍵盤切替キーを１度押し下げて呼び出される符号第１鍵盤もまた９個の符号を提供し、画面に表示された諸符号のなかで現在入力対象として必要とされる符号の位置に対応した位置にある現実の鍵盤上のキーを押しさげると、その符号が入力される。【０２３２】すなわち、符号第１鍵盤においては、９個の符号が３度のキーの押し下げによって入力される。【０２３３】ついで、和文入力鍵盤と数字入力鍵盤においては、鍵盤切替キーを３度連続して押し下げて呼び出され、英文入力鍵盤においては鍵盤切替キーを２度押し下げて呼び出される符号第２鍵盤もまた９個の符号を提供し、画面に表示された諸符号のなかで現在入力対象として必要とされる符号の位置に対応した位置にある現実の鍵盤上のキーを押しさげると、その符号が入力される。【０２３４】すなわち、符号第２鍵盤においては、９個の符号が４度のキーの押し下げによって入力される。【０２３５】ついで、和文入力鍵盤と数字入力鍵盤においては、鍵盤切替キーを４度連続して押し下げて呼び出され、英文入力鍵盤においては鍵盤切替キーを３度連続して押し下げて呼び出される符号第３鍵盤もまた９個の符号を提供し、画面に表示された諸符号のなかで現在入力対象として必要とされる符号の位置に対応した位置にある現実の鍵盤上のキーを押しさげると、その符号が入力される。【０２３６】すなわち、符号第３鍵盤においては、９個の符号が５度のキーの押し下げによって入力される。【０２３７】こうして、本発明の和文入力鍵盤と数字入力鍵盤においては、２度のキーの押し下げで、和文入力と数字入力に必要な基本的符号が９個入力され、３度のキーの押し下げで、和文入力と数字入力に必要な符号がさらに９個入力され、４度のキーの押し下げで、和文入力と数字入力に必要な符号がさらに９個入力され、５度のキーの押し下げで、和文入力と数字入力に必要な符号がさらに９個入力される。【０２３８】すなわち、３６個の符号が、９×（２＋３＋４＋５）＝１２６の式のように、合計１２６度のキーの押し下げで入力され、１個の符号は平均３．５度のキーの押し下げで入力される。【０２３９】これに対して、従来の携帯入力端末における符号入力は、携帯電話を典型として、一旦符号入力に入り、そこから再び問題の符号の並べられたディスプレー上の画面を探し、さらにそこで数回のカーソルキーの操作によって、目的の符号にたどり着くという煩瑣な手続きを必要としていた。【０２４０】���、仮に携帯電話の符号呼び出し画面を、縦４個、横１０個の形を取っているとして、カーソルによって、必要な符号にまで到達し、さらに決定キーを押し下げてこれを入力するまでの、カーソルと決定キーの押し下げ回数の平均を求めると、それは次のような考え方によって計算できる。【０２４１】すなわち、画面の最左端、最上端の符号は、決定キーを１度押し下げることによって入力できるが、その右のキーと下のキーの入力にはカーソルを１度動かしたのちに決定キーを１度押し下げることが必要であり、合計の押し下げ回数は２度となり、さらに画面の最左端、最上端の符号から２個右のキーと２個下のキーの入力にはカーソルを２度動かしたのちに決定キーを１度押し下げることが必要であり、合計の押し下げ回数は３度となり、さらに画面の最左端、最上端の符号から３個右のキーと３個下のキーの入力にはカーソルを３度動かしたのちに決定キーを１度押し下げることが必要であり、合計の押し下げ回数は４度となる【０２４２】上記の場合、たとえば最左端、最上端の符号から３個右のキーと３個下のキーを結んだ線上にあるキーの入力には、最上端の符号から３個右のキーと３個下のキーに至る場合と同様に、カーソルキーの押し下げ回数と決定キーの押し下げ回数の合計は４度となる。【０２４３】上記の場合の最上端の符号から３個右のキーと３個下のキーを結んだ線上にあるキーから１個右のキーの入力には、さらにもう１度カーソルを動かす必要があるので、カーソルキーの押し下げ回数と決定キーの押し下げ回数の合計は５度となる。【０２４４】上記の場合の最上端の符号から３個右のキーと３個下のキーを結んだ線上にあるキーから２個右のキーの入力には、さらにもう１度カーソルを動かす必要があるので、カーソルキーの押し下げ回数と決定キーの押し下げ回数の合計は５度となる。【０２４５】この過程を繰り返して、最上端の符号から３個右のキーと３個下のキーを結んだ線上にあるキーから６個右のキーすなわち鍵盤の最右端、最上端のキーの入力に至って、カーソルキーの押し下げ回数と決定キーの押し下げ回数の合計は１０度となる。【０２４６】ここから、押し下げるべきキーの数は漸減して、残された３個のキーの入力には、カーソルキーの押し下げ回数と決定キーの押し下げ回数の合計は１１度となり、残された２個のキーの入力には、カーソルキーの押し下げ回数と決定キーの押し下げ回数の合計は１２度となり、最後の鍵盤の最右端、最下端のキーの入力には、カーソルキーの押し下げ回数と決定キーの押し下げ回数の合計は１３度となる。【０２４７】以上によって、この鍵盤のキーの総押し下げ数は、１、２、３、４かける４、５かける４、６かける４、７かける４、８かける４、９かける４、１０かける４、１１かける３、１２かける２、１３かける１を合計した数、すなわち２７２度となる。【０２４８】この合計２７２度のキーの押し下げ回数を、キーの総数の４０で割った、６．８というのが、一般的な携帯電話の場合の、４０個の符号の呼び出しに必要な平均的なキーの押し下げ数である。【０２４９】これを本発明における和文符号と数字符号で、３６個の符号が平均３．５度のキーの押し下げで入力する場合と比較すると、本発明の場合の方がより���便であると言える。【０２５０】これを本発明における英文符号の場合と比較すると、本発明における英文符号では、呼び出される最初の符号鍵盤が、符号第１鍵盤であり、これはこれを本発明における和文符号と数字符号の呼び出しに比較すると、同じ符号を呼び出すのに、１度づつキーの押し下げ数がずれるけれども、１個の鍵盤を呼び出すためのキーの押し下げ数は数字入力や和文入力の場合と同様である。【０２５１】すなわち、本発明における英文符号では、２７個の符号が、９×（３＋４＋５）＝１０８の式のように、合計１０８度のキーの押し下げで入力され、１個の符号は平均３度のキーの押し下げで入力され、さらにここで符号第４鍵盤を設定すれば、９×（３＋４＋５＋６）＝１６２の式のように、３６個の符号が、合計１６２度のキーの押し下げで入力され、１個の符号は平均４．５度のキーの押し下げで入力される。【０２５２】また、英文符号の場合に符号第５鍵盤を設定すれば、９×（３＋４＋５＋６＋７）＝２２５の式のように、４５個の符号が、合計２２５度のキーの押し下げで入力され、１個の符号は平均５度のキーの押し下げで入力されるので、この場合でも一般的な携帯端末に勝っている。【０２５３】そして、実際の使用において、本発明がもっとも勝れているのは、これらの９個づつの符号を載せた鍵盤が、ディスプレーの画面に現実の鍵盤と同様の形態で表示されるため、利用に習熟すれば、キーの所在が直覚的に捉えられ、きわめて迅速で着実な入力が可能になることである。【０２５４】以上は、本発明と従来の一般的な携帯端末との比較である。【０２５５】本発明における符号入力システムには、さらに、従来の一般的なパソコンの場合と比較して優位に立つ部分がある。【０２５６】それはまず、鍵盤切替キーを押し下げて新しい符号入力鍵盤を呼び出すたびに、その３行３列の鍵盤がディスペレーの画面上に表示されるために、およそ４８個のキーからなる鍵盤上で必要な符号を探す必要のあるパソコンの場合に比して、入力者の心理的疲労が軽減される効果があるということである。【０２５７】また、本発明においては、鍵盤切替キーを５度以上連続して押し下げることにより、１度の押し下げごとに９個の符号が呼び出せるので、多くの種類の符号が必要となった場合は、本発明の方式のほうが、一般的なパソコンの場合より、優れていると言える。
「候補文字入力の場合」【０２５８】繰り返すことになるが、小型携帯端末とりわけ携帯電話において著しく発達した技術に、候補文字を予測変換、推測変換して提示選択する方式があり、本来小型で制約の多い携帯入力端末の入力操作を大幅に合理化しており、候補文字入力の場合には、一般的に言って、携帯電話を典型とする携帯入力端末の方がパソコンの場合よりも一層周到な候補文字の提供に成功していると言える。【０２５９】これは、携帯電話を典型とする携帯入力端末の入力操作がパソコンに比して著しく困難であることから、その困難の軽減手段として発達してきたものと評価できるようである。【０２６０】しかし、この周到にして多数提供される候補文字の実際の入力に当たっては、やはり画面に表示された複数の候補文字を探しあて、数度のカーソルキーの押し下げによって、この候補文字に到達するという手続きが要求されるうえ、最初に提供された候補文字の一覧の中に必要な文字が見出されない場合には、さらに１度のカーソルキーの押し下げ毎に１個の候補文字が提供される形で、必要な候補文字を探索する必要があるので、最初に提供された候補文字の一覧の中に必要な文字が見出されない場合には、手続きが極めて煩瑣になる。【０２６１】この方式では、キーボードによる入力と異質のキー操作が要求されるだけではなく、カーソルが目的の字句に達するまでジョグキーを連続して押し下げながらディスプレーを注視する必要があり、入力時の神経の疲労の一因となっている。【０２６２】一般的な方式の場合には、もっとも早く候補文字を入力できる場合でも、カーソルを１度押し下げて候補を選び、これを決定キーの押し下げによって確定するが、本発明の場合には、ディスプレーの画面に表示される候補文字を現実の鍵盤と対応する形で配置し、必要とされる候補文字に対応した現実の鍵盤のキーを押下げることにより、候補文字を入力するので、シフトキーの押し下げを含めて、キーの２度の押し下げによって９項目の候補文字のいずれをも入力することができる。【０２６３】さらに、候補文字が最初のディスプレーの画面に表示されなかった場合は、本発明ではもう１度鍵盤切替キーを押下げることにより、さらに９個の新しい候補文字を表示できるが、従来の方式では製品の仕組みによってそれぞれ差があるが、通常の方式では、同じ９個の候補文字を探すためには、最初の画面の最後の候補の次までカーソルを移動させて、やっと新しい候補文字が一個見つかることになるので、一般的に新しく最小限１度、最大限９度程度のキーの押し下げが必要となる。【０２６４】以下、本発明では続いて連続して鍵盤切替キーを押し下げるという同様の手続きを繰り返すことで１度のキーの押し下げ毎に、さらに１セット９個の新しい候補文字を提示して入力することが可能になり、候補文字が簡単に見つからない場合ほど、本発明の優位性は高まる。【０２６５】また、本発明の英文入力の場合においては、１個のハードキーに複数の字母をわりあてるため、１度の入力で確定的な結果を齎しえず、いくつかの候補の単語の中から適当な単語を選ぶことになるので、この場合の入力には、ディスプレーの画面に複数の候補単語を表示することが必要になるが、その際にも、この上記の方式を採用することにより、複数の候補単語の中から必要な単語を選択することが容易に実現する。【０２６６】以上の、候補文字の入力は携帯入力端末がパソコンに対して優位を誇る分野であり、本発明ではその長所を生かしながら改良することにより、従来のパソコンと従来の携帯入力端末の双方に対して優越する新しい入力方式を提示することに成功した。
「総合的効果」【０２６７】本発明は、和文入力、英文入力、符号入力、候補文字入力の全ての面に亘って、従来の携帯入力端末の入力水準を高めることに成功したが、最後に強調して置きたいのは、これらの全ての面で、複数の鍵盤を用意して、それらを鍵盤の自動的あるいは手動的な切替によって呼び出し、中でも符号入力、候補文字入力の場合のように現実の鍵盤にそれらを表示できない場合に、それをヴァーチャルな鍵盤としてディスプレーの画面に表示することにより、画面上の鍵盤と現実の鍵盤との対応性に基づいてそれらを容易に入力することを可能にし、そこからこれらの四つの入力方式の間に、一定の調和性を齎すことに成功したことである。【０２６８】パソコン入力の場合には、多数のキーの存在によって実質的に実現していたこのような入力方式相互の間の調和性の携帯入力端末の場合における欠如、すなわち、五十音方式を取る和文入力、一個のキーに３個乃至４個のアルファベット字母を割り振る英語入力、もっぱらディスプレーの画面上のカーソル移動にたよる符号入力、候補文字入力というそれぞれ異質の３種の入力方式を備えた携帯入力端末の場合における一種の不安定性が、本発明によって払拭されたのである。【０２６９】以上によって、本発明は３行３列の９個のキーをもつ９キー型の入力端末の入力速度を大幅に高めるとともに、一層安定した、ほぼ現行のパソコンに近い操作性を獲得することに成功した。
「発明についての若干の敷衍的説明」【０２７０】本発明においては、３行３列の鍵盤について、その９個のキー部分に全体としてどのような字母、数字入力機能を与えるのかを中心的な課題とする。【０２７１】本発明は、和文入力の場合には、子音キーと母音キーの自動的交代出現と合理的なキー配置という方法によって、小型鍵盤に対しても大型鍵盤と同等の入力機能を保障しようとするものである。【０２７２】本発明は、英文入力の場合に、二つの鍵盤を鍵盤切替キーによって切り替えること、およびこの二つの鍵盤のなかの最初に入る的な鍵盤に出現頻度の高い字母を集めることによって、小型鍵盤に対しても大型鍵盤と同等の入力機能を保障しようとするものである。【０２７３】本発明はまた、英文つづりの特性を利用して、この二つの鍵盤に割り当てられる個々のキーに複数の字母を配置することにより、より高い機能と操作性を備えた鍵盤を提供する。【０２７４】本発明は和文入力の高度な設計とそれに対応する英文入力方式や符号入力方式の高度な設計を目指すものであり、カーソル移動や画面スクロールあるいは入力決定等の的設計は現行の方式に準拠してジョグダイヤルや十字キー等のデバイスによって行う。
「英文入力問題の場合」【０２７５】すでに触れたように、現在一般的に使用されている携帯電話等の小型入力鍵盤における英文入力に際しての最大の問題は、ひとつのキーにａｂｃの場合のように３個の字母を割り当てるものから、ｐｑｒｓの場合のように４個の字母を割り当てるものまで、一つの字母の入力に３回から４回のキーの押し下げが必要であることである。【０２７６】さらに、そこでは３回のキーの押し下げと４回のキーの押し下げが、混在することからくる入力リズムの狂いの問題がある。【０２７７】このような携帯電話等の小型入力端末における英文入力方式に共通する困難の基本的原因は、いわゆるテンキーにおける最大限１２個のハードキーにアルファベット２６文字を配置しなければならないという制約に起因している。【０２７８】しかし、アルファベット２６文字の英語単語の綴りに対する関係は、その字母としての歴史と関連して一様ではない。【０２７９】すなわち、アルファベット２６文字中、ｇとｊ、ｃとｋとｑ、ｓとｘとｚ、ｕとｖとｗとｈとｉとｙの５組１４個の子音字母は、綴り字に対する関係において、原則的に互いに相補的な関係にある。【０２８０】たとえばｋあるいはｑを含む任意のある英単語の綴りにおいて、原則としてそのなかにｋが使われる部分をｑに置き換えた単語は存在せず、逆にｑが使われる部分にｋが使われた単語も存在しない。【０２８１】こうして、ｋｅｙという単語が存在すれば、ｑｅｙという単語は存在せず、ｑｕｅｓｔｉｏｎという単語が存在すれば、ｋｕｅｓｔｉｏｎという単語は存在しない。【０２８２】これは、たとえばフランス語、ドイツ語をも含めて、印欧語系における字母表記においては、ｑ＋ｕがｋと等価の子音扱いになるためである。【０２８３】これほど明確ではないが、同様の関係がこのｃとｋとｑの間、およびｇとｊの間、ｓとｘとｚの間、ｕとｖとｗの間、ｈとｉとｙの計５組１４個の字母においても原則的に成立する。
「ｃとｋの間」【０２８４】講談社パックス英和辞典（１９９２、６８０００項目収録）のすべてのｋに始まる単語を、大型辞書研究社リーダーズ英和辞典（１９８４、２６万項目収録）のすべてのｃに始まる単語と対照した結果、このｋをｃに書き換えても成立する単語は３９語であった。【０２８５】それらは、アルファベット順に記すと以下のようになる。【０２８６】Ｋａａｂａ、ｋａｂｏｂ、ｋａｆｔａｎ、ｋａｌｅｎｄｓ、ｋａｐｏｋ、ｋａｒａｋｕｌ、ｋａｒａｔ、Ｋａｓｂａｈ、Ｋｅｌｔ、Ｋｈｉ、ｋｌａｘｏｎ、ｋｌｅｐｔｍａｎｉａ、ｋｏｌａ、Ｋｏｐｅｃｋ、Ｋｏｒｅａ、ｋｒａａｌ、Ｋｕｒｄ、ＫＢ、ＫＣ、ｋｇ、ｋｍ、ｋｏ、Ｋｒ、ＫＳ、ｋｔ、ＫＹ、ｋａｒｔ、Ｋｅｎｔ、ｋｉｄ、ｋｉｎｄｅｒ、ｋｉｐ、ｋｉｔ、ｋｉｔｅ、ｋｌａｎ、ｋｏｏｋ、ｋｏｓｈｅｒ、ｋｒａｆｔ、ｋｒｏｎｅ。【０２８７】上記単語中、ＫａａｂａからＫｕｒｄまでの１８語がｃ、ｋいずれの表記を用いても同じ実体を表すものであり、ＫＢからＫＹまでの９語が略語であり、ｋａｒｔからｋｒｏｎｅまでの１２語が異なった実体を指す単語である。【０２８８】上記単語中、固有名詞すなわち大文字始まることによって、書き換えても成立する単語との相互識別が可能な単語がｃに始まる単語に１個（Ｃｉｄ→ｋｉｄ）、ｋに始まる単語に１個（ｃｌａｎ→ｋｌａｎ）計２個ある。【０２８９】したがって、略語のように本来一字一字入力すべき語と、ＫａａｂａとＣａａｂａのようにまったく同じ実体を二様に表記することが許されている場合を除いて、入力に本当に困難が起きるのは、ｋａｒｔからｋｒｏｎｅまでの１２語の中から２語を差し引いた１０語ということになる。【０２９０】これらの単語は、上記の一覧表からわかるように、固有名詞を除いてその大部分が日常あまり使用されない語彙である。【０２９１】したがって登録された単語と入力された単語を引き当てるという操作の対象となる単語は、少数である上に、これらの単語が入力の対象となる事態そのものの出現の可能性も高くは無い。【０２９２】そして、これらの単語の入力が必要な場合には、たとえばｋａｒｔとｃａｒｔ、ｋｒｏｎｅとｃｒｏｎｅの二語を画面に表示して、そのいずれかを選ぶことになる。【０２９３】次に問題になるのは、ｃとｋが単語の語中に出現する場合である。【０２９４】実際には、ｋは、語頭に出現する以外は、ｗｏｒｋ、ｔａｌｋ、ｂａｃｋ、ｃｌｅｒｋ、ａｓｋ、ｍｏｎｋ、ｌｉｎｋ、ｌａｃｋ、ｄｒａｎｋ等のようにその前にｒ、ｌ、ｃ、ｓ、ｎ等の子音を前に持って、語尾に出現するか、あるいはｔｏｏｋ、ｓｅｅｋ、ｌｏｏｋ、ｂｏｏｋ、ｈｏｏｋ等のように母音が重なって表記される後に語尾に出現するか、その変形としてのｓｅａｋ、ｓｐｅａｋ等の形で語尾に出現するのが通例であり、そうでない場合は、ｍａｋｅ、ｔａｋｅ、ｗｏｋｅ、ｌｉｋｅ、ｄｕｋｅ等のようにａｋｅ、ｏｋｅ、ｉｋｅ、ｕｋｅ等の特定の字母との組み合わせの綴りのなかで語中に出現する。【０２９５】これに対して、ｃは語頭を除いては語中に出現するのが通例であり、語尾に出現する場合は、ｐｉｃｎｉｃ、ｃｒｉｔｉｃ、ｐｒａｇｍａｔｉｃあるいはｍａｎｉａｃ、ｍａｎｉｃ等の形で、特定の母音に続いて出現し、これらの場合にこのｃをｋに書き換えた単語は存在しない。【０２９６】またｋが語中で、ｍａｋｅ、ｔａｋｅ、ｗｏｋｅ、ｌｉｋｅ、ｄｕｋｅ等のようにａｋｅ、ｏｋｅ、ｉｋｅ、ｕｋｅ等の特定の字母との組み合わせの綴りのなかで出現する場合との対比で、ａｃｅ、ｉｃｅ、ｕｃｅ、ｅｃｅ、ｏｃｅの各綴りを持つ場合をそれぞれ検討すると、ｔｒａｃｅ、ｐｌａｃｅ、ｌａｃｅ、ｆａｃｅ、ｐａｃｅ、ｔｅｒｒａｃｅ  ｒａｃｅ、ｍｅｎａｃｅのようにａｃｅを含む綴りに於いてｆａｋｅ（偽者）  とｌａｋｅとｒａｋｅ（熊手）を見出すのと、ｕｃｅを含む場合のｐｒｏｄｕｃｅ、ｄｕｃｅの場合にｄｕｃｅ（イタリア語の首領）に対応するｄｕｋｅ（公爵）がある場合のみであり、ｉｃｅを含む場合のｎｏｔｉｃｅ、ｐｒａｃｔｉｃｅ、ｐｒｉｃｅ、ｒｉｃｅ、ｌｉｃｅｎｓｅ、ｓｅｒｖｉｃｅ、ｏｆｆｉｃｅ、ｒｅｔｉｃｅｎｃｅ、ｃｈｏｉｃｅ、ｅｃｅを含む場合のｐｉｅｃｅ、ｒｅｃｅｉｖｅ、ｎｅｃｅｓｓａｒｙ、ｐｅｒｃｅｉｖｅ、ｒｅｃｅｎｔ、ｏｃｅを含む場合のｐｒｏｃｅｓｓ、ｐｒｏｃｅｅｄ、ｏｃｅａｎ等の場合にはまったくこうしたケースは見られない。【０２９７】こうして、ｃとｋは、語中においても一般的に相補的な分布をとり、上記の例外とｌｉｋｅとｌｉｃｅ（ｌｏｕｓｅ＝虱の複数形）のような語形変化との関連できわめて稀に混同が起こるだけである。【０２９８】以上によって、ｃとｋを一つのハードキーに属せしめた鍵盤によって、ｃとｋにそれぞれ一つのハードキーを与えた鍵盤とほとんどの場合に同じ働きを実現することが可能となる。
「ｃとｑの間」【０２９９】講談社パックス英和辞典（１９９２、６８０００項目収録）のすべてのｑに始まる単語を、大型辞書研究社リーダーズ英和辞典（１９８４、２６万項目収録）のすべてのｃに始まる単語と対照した結果、このｑをｃに書き換えても成立する単語は４語であった。【０３００】それらは、アルファベット順に記すとＱＢ、ｑｒ、ｑｖ、Ｑｕｅという４個の略語のみであった。【０３０１】上記単語中、Ｑｕｅは大文字固有名詞のＱｕｅｂｅｃの略語であり、ｃｕｅという普通名詞に対応しており、容易に区別できる。【０３０２】次に問題になるのは、ｃとｑが単語の語中に出現する場合である。【０３０３】この場合、ｑは語頭、語中いずれの場合にも、ｑｕｅ、ｑｕａ、ｑｕｏ、ｑｕｉのように、その後ろにｑを持ち、さらにその後ろに別の母音を従える形で出現するのが通例であり、また従って、語尾にｑが出現することも無い。【０３０４】これに対してｃは、ｅｖａｃｕａｔｅ、ｃｕｉｓｉｎｅ、ｃｕｉｒａｓｓ、ｃｏｎｓｐｉｃｕｏｕｓ等のきわめて少数のラテン語由来の単語に、同様の綴りがあるのみであって、これらの単語の場合に、そのなかのｃをｑに置き換えた単語も存在しない。【０３０５】したがってｃとｑを一つのハードキーに属せしめた鍵盤によって、ｃとｑにそれぞれ一つのハードキーを与えた鍵盤とほとんどの場合に同じ働きを実現することが可能となる。
「ｋとｑの間」【０３０６】講談社パックス英和辞典（１９９２、６８０００項目収録）のすべてのｑに始まる単語を、大型辞書研究社リーダーズ英和辞典（１９８４、２６万項目収録）のすべてのｋに始まる単語と対照した結果、このｑをｋに書き換えても成立する単語はＱａｔａｒとＫａｔａｒの場合の１語のみであった。【０３０７】そしてこの場合、このＱａｔａｒとＫａｔａｒはともにアラビア半島のカタールを表しており、二つの表記の双方が通用している。【０３０８】次に問題になるのは、ｋとｑが単語の語中に出現する場合である。【０３０９】実際には、先に述べたように、ｋは語頭に出現する以外は、ｗｏｒｋ、ｔａｌｋ、ｂａｃｋ、ｃｌｅｒｋ、ａｓｋ、ｍｏｎｋ、ｌｉｎｋ、ｌａｃｋ、ｄｒａｎｋ等のようにその前にｒ、ｌ、ｃ、ｓ、ｎ等の子音を前に持って、語尾に出現するのが通例であり、そうでない場合は、ｍａｋｅ、ｔａｋｅ、ｗｏｋｅ、ｌｉｋｅ、ｄｕｋｅ等のようにａｋｅ、ｏｋｅ、ｉｋｅ、ｕｋｅ等の特定の字母との組み合わせの綴りのなかで出現するか、ｔｏｏｋ、ｓｅｅｋ、ｌｏｏｋ、ｂｏｏｋ、ｈｏｏｋ等のように母音が重なって表記される後か、その変形としてｓｅａｋ、ｓｐｅａｋ等の形で出現する。【０３１０】これに対して、ｑは語頭、語中いずれの場合にも、ｑｕｅ、ｑｕａ、ｑｕｏ、ｑｕｉのように、その後ろにｑを持ち、さらにその後ろに別の母音を従える形で出現するのが通例であり、上記のｋを含む単語とは、まったく異なった形を持つ。【０３１１】したがって、ｋとｑを一つのハードキーに属せしめた鍵盤によって、ｋとｑにそれぞれ一つのハードキーを与えた鍵盤と実質上同じ働きを実現することが可能となる。
「ｇとｊの間」【０３１２】講談社パックス英和辞典（１９９２、６８０００項目収録）のすべてのｊに始まる単語を、大型辞書研究社リーダーズ英和辞典（１９８４、２６万項目収録）のすべてのｇに始まる単語と対照した結果、このｊをｇに書き換えても成立する単語は３５語であった。【０３１３】それらは、アルファベット順に記すと以下のようになる。
Ｊａｇ、ｊａｉｌｅ、Ｊａｌ、ｊａｍ、Ｊａｍｅｓ、ｊａｎｇｌｅ、ｊａｐｅ、ｊａｒ、Ｊａｓ、ｊａｕｎｔ、ｊａｙ、ｊｅｅｐ、Ｊｅｒ、ｊｅｒｒｙ、ｊｅｓｔ、ｊｅｔ、ｊｉｂ、ｊｉｇ、ｊｉｇｇｌｅ、ｊｉｌｌ、ｊｉｅｔ、ｊｉｎｋ、ｊｉｖｅ、ｊｏｂ、ｊｏｃｋ、ｊｏｇｇｌｅ、ｊｏｌｌｙ、ｊｏｓｈ、ｊｏｔ、Ｊｏｙ、ｊｕｍｂｏ、Ｊｕｎ、ｊｕｎｋ、ｊｕｓｔ、ｊｕｔ。【０３１４】上記３６単語中、固有名詞すなわち大文字始まることによって、書き換えても成立する単語との相互識別が可能な単語がｊに始まる単語に５個（Ｊａｌ，Ｊａｍｅｓ，Ｊａｓ，Ｊｅｒ，Ｊｕｎ）、ｇに始まる単語に１個（ｊｅｒｒｙ→Ｇｅｒｒｙ）計６個ある。【０３１５】これらの単語は、上記の一覧表からわかるように、固有名詞を除いてその大部分が日常あまり使用されない語彙である。【０３１６】これらの単語の中で固有名詞すなわち大文字から始まることによって、書き換えても成立する単語との相互識別が可能な単語を除いた日常的に使用される単語、たとえば、ｊｏｂ，ｊｏｙ，ｊｕｓｔ等のｊに始まる単語に対応するｇに始まる単語はそれぞれ、ｇｏｂ，ｇｏｙ，ｇｕｓｔ等の非日常的な語彙であり、逆にｇａｐｅ，ｇｅｔ，ｇｉｖｅ，ｇｏｔ，ｇｕｎ等のｇに始まる日常的に使用される単語に対応するｊに始まる単語はそれぞれ、ｊａｐｅ，ｊｅｔ，ｊｉｖｅ，ｊｏｔ等の非日常的な語彙である。【０３１７】したがって語頭の場合には、単語登録の機能により、入力時に使用頻度の高い単語を選択すべき第一候補として画面に表示し、とくに選択行為を行わない限り、この単語が選択されるように設定することにより、ｊとｇを一つのハードキーに属せしめた鍵盤によって、ｊとｇにそれぞれ一つのハードキーを与えた鍵盤とほとんどの場合に同じ働きを実現することが可能となる。【０３１８】次に問題になるのは、ｇとｊが単語の語中や語尾に出現する場合である。【０３１９】ｊが語中に出現する場合は、ｓｕｂｊｅｃｔ、ｏｂｊｅｃｔ、ｐｒｏｊｅｃｔ、ｒｅｊｅｃｔ、ｔｒａｊｅｃｔ等のように定型的にその後ろにｅｃｔの綴りを従えて出現するのが通例であり、このｊをｇに置き換えることはできないし、ａｄｊｕｓｔ、ｍａｊｏｒ、ｃｏｎｊｕｒｅ等の少数の例外の場合においても、そこでのｊをｇに置き換えた単語は存在しない。【０３２０】さらに、ｊが語尾に出現する例は、本来の英語には皆無と言ってよい。【０３２１】以上によって、ｇとｊを一つのハードキーに属せしめた鍵盤によって、ｇとｊにそれぞれ一つのハードキーを与えた鍵盤とほとんどの場合に同じ働きを実現することが可能となる。
「ｓとｘの間」【０３２２】講談社パックス英和辞典（１９９２、６８０００項目収録）のすべてのｘに始まる単語を、大型辞書研究社リーダーズ英和辞典（１９８４、２６万項目収録）のすべてのｓに始まる単語と対照した結果、このｓをｘに書き換えても成立する単語は１２語であった。【０３２３】それらは、アルファベット順に記すと、Ｘｅ，Ｘｉ，Ｘｉａｎ，Ｘｉａｎｇ，Ｘｉａｎｇｔａｎ，Ｘｉｎｇ，Ｘｉｎｉｎｇ，ＸＬ，Ｘｎ，ＸＲ，ＸＴ，ＸＸのようになる。【０３２４】ただし、これらの単語のうちＸｅ，Ｘｉはそれぞれギリシャ語のクセノンとクシーの略であり、Ｘｉａｎ，Ｘｉａｎｇ，Ｘｉａｎｇｔａｎ、Ｘｉｎｉｎｇはそれぞれ中国の地名のローマナイズであるとともに、双方の表記がともに通用している。【０３２５】さらに上記８単語中、固有名詞すなわち大文字で始まることによって、書き換えて成立した単語との相互識別が可能な単語がｘに始まる単語に１個（Ｘｉｎｇ）あり、またピリオドの有無や単語中の大文字と小文字の相違から識別可能な場合が、ＸＬとＸｎ、ＸＴの３例がある。【０３２６】したがって、入力時に識別不可能な単語は、ＸＲ（ｅｘ  ｒｉｇｈｔｓすなわち新株特権落ち）とＳＲ（すなわちＳｗｉｓｓａｉｒの国際航空略称）およびＸＳ（ｅｘｔｒａ  ｓｍａｌｌ）とＳＳ（ナチスの親衛隊）の２単語のみである。【０３２７】したがって語頭の場合には、単語登録の機能により、入力時の文脈にふさわしい単語を選択すべき候補として画面に表示し、とくに選択行為を行わない限り、この単語が選択されるように設定することにより、ｓとｘを一つのハードキーに属せしめた鍵盤によって、ｓとｘにそれぞれ一つのハードキーを与えた鍵盤とほとんど同じ働きを実現することが可能となる。【０３２８】次に問題になるのは、ｓとｘが単語の語中に出現する場合である。【０３２９】実際には、ｘは語頭に出現する以外は、大部分の場合、ｅｘａｃｔ、ｅｘａｇｇｅｒａｔｅ、ｅｘａｌｔ、ｅｘａｍｉｎｅ、ｅｘａｍｐｌｅ、ｅｘｅｇｅｓｉｓ、ｅｘｅｒｃｉｓｅ、ｅｘｅｒｔ、ｅｘｔｅｎｄ、ｅｘｐｅｒｉｅｎｃｅ、ｅｘｐｏｓｅ、ｅｘｐｌｉｃａｔｅ、ｅｘｐｌｉｃｉｔ、ｅｘｐｅｃｔ、ｅｘｈａｕｓｔ、ｅｘｐｒｅｓｓ、ｅｘｐｌａｉｎ、ｅｘｔｒａｏｒｄｉｎａｒｙ等のようにその前に、その前に置かれたｅと組み合わせられて語中に位置することになるのであり、実際にはｅｘが一つの単位となって語頭に出現すると考えた方がよい。【０３３０】そして、このような場合に、そこでのｘをｓに置き換えて成立する単語は存在しない。【０３３１】それ以外で問題になるのは、ｂｏｘ、ｓｉｘ、ｓｅｘ等の語尾にｘが来る場合であるが、いずれもそこでｘをｓに置き換えて成立する語は無い。【０３３２】唯一の問題は、ｔｅｘｔ、ｃｏｎｔｅｘｔの場合に、そこでｘをｓに置き換えてｔｅｓｔ、ｃｏｎｔｅｓｔの語が成立することである。【０３３３】この点については、ｔｅｘｔとｔｅｓｔ、ｃｏｎｔｅｘｔとｃｏｎｔｅｓｔが当該行文中でどちらがふさわしいかを、単語登録の機能との引き当てによって推測し、より可能性の高い方を行文に提示し、そうでない方を入力候補として画面のディスプレーに表示して選択することになる。【０３３４】以上��よって、ｘとｓを一つのハードキーに属せしめた鍵盤によって、ｘとｓにそれぞれ一つのハードキーを与えた鍵盤と実質上同じ働きを実現することが可能となる。
「ｓとｚの間」【０３３５】講談社パックス英和辞典（１９９２、６８０００項目収録）のすべてのｚに始まる単語を、大型辞書研究社リーダーズ英和辞典（１９８４、２６万項目収録）のすべてのｓに始まる単語と対照した結果、このｓをｚに書き換えても成立する単語は２７語であった。【０３３６】それらは、アルファベット順に記すと、ｓａｐ、ｓｅａｌ、ｓｅｃｈ、ｓｅｅ、ｓｅｇ、ｓｅｎ、Ｓｅｎ．、ｓｅｎ、ｓｅｎ．、ｓｉｎｇ、Ｓｉｏｎ、ｓｉｐ、ｓｉｔ、Ｓｎ、ｓ．ｎ．、ｓｎ．、Ｓｏｌａ、ｓｏｎｅ、Ｓｏｏ、ｓｏｏｌ、Ｓ．Ｐ．Ｇ．、Ｓｒ、ｓｒ、ｓｒ．、Ｓｒ．、ＳＲ、Ｓｕｌｕ、ｓｕｌｕのようになる。【０３３７】しかし、これらの単語のなかの、つづりは同一であって大文字と小文字、あるいはピリオドの有無等の相違によるものがいくつかある。【０３３８】たとえば、Ｚｅｎは綴りの上ではｓｅｎ、Ｓｅｎ、ｓｅｎ、ｓｅｎの４単語に対応するが、実際には完全に対応するのはＳｅｎの１語のみであり、同様にＺｎは綴りの上ではＳｎ、ｓ．ｎ．、ｓｎの３単語に対応するが、実際には完全に対応するのはＳｎの１語のみであり、Ｚｒは綴りの上ではＳｒ、ｓｒ、ｓｒ．、Ｓｒ．、ＳＲの５単語に対応するが、実際には完全に対応するのはＳｒの１語のみであり、Ｚｕｌｕは綴りの上ではＳｕｌｕ、ｓｕｌｕの２単語に対応するが、実際には完全に対応するのはＳｕｌｕの１語のみであり、ＺＰＧとＳ．Ｐ．Ｇはピリオドの有無によって識別される。【０３３９】さらに、ＺｅｃｈとＳｅｃｈ、ＺＥＧとｓｅｇ、Ｚｏｌａとｓｏｌａ、ｚｏｏとＳｏｏの４組の単語も、大文字と小文字の区別によって識別されるし、ＺｉｏｎとＳｉｏｎは実体は同一である。【０３４０】したがって、識別不可能な単語は１２個であり、さらにこれらの単語のなかで、ｓｅｅ、ｓｉｎｇ、ｓｉｔの３単語は常用語であり、それらに対応するｚｉｎｇ、ｚｉｔ、ｚｅｅは稀用語、ｚｏｎｅは常用語であり、これに対応するｓｏｎｅは稀用語であって、いずれもあらかじめ登録した単語の重要性にしたがって、まず常用語の方を入力候補として提示することによってほとんどの場合に問題は起こらない。【０３４１】こうして、現実に識別不可能な単語は１２個であり、それらの単語のなかでやや使用度数の高い単語は、ｚｅａｌ（熱心）、ｓｅａｌ（印章、あざらし）、ｚｏｎｅ（地帯）の３例のみであって、このうち、ｚｏｎｅ（地帯）とｓｏｎｅ（感覚上の音の大きさの単位）では使用度が大きく異なるので、実際にはｚｅａｌ（熱心）とｓｅａｌ（印章、あざらし）の場合のみが問題となるが、この場合も３語の出現のシチュエーションは大きく異なるので、これも単語をシチュエーションに応じて差等をつけた入力候補として扱う和文においてすでに一般化している技術を英文の場合にも適用することによって、ほぼ解決可能である。【０３４２】次に問題になるのは、ｓとｚが、語中あるいは語尾に来る場合である。【０３４３】このうち、語尾の場合はｓが動詞や名詞の変化の中で多用されるが、逆にｚが語尾に現れる場合はきわめて稀に固有名詞の場合、それも英語にとっては外国語である諸語の語尾に現れるのみであり、ほとんど無視してよい。【０３４４】次に語中にｚの字母が現れる場合については、きわめて少数のａｍａｚｅ、ｃｉｔｉｚｅｎ、ｄｏｚｅ、ｄｏｚｅｎ、ｈｏｒｉｚｏｎ、ｇａｚｅｔｔｅｅｒ、ｍａｇａｚｉｎｅ等の一般的な綴りの場合と、ａｕｔｈｏｒｉｚｅ、ｃｈａｒａｃｔｅｒｉｚｅ、ｃｒｉｔｉｃｉｚｅ、ｄｏｗｎｓｉｚｅ、ｅｍｐｈａｓｉｚｅ、ｉｎｄｕｓｔｒｉａｌｉｚｅ、ｍｅｍｏｒｉｚｅ、ｍｏｎｏｐｏｌｉｚｅ、ｏｒｇａｎｉｚｅ、ｐｒｏｓｅｌｙｔｉｚｅ、ｒｅａｌｉｚｅ、ｓｙｎｔｈｅｓｉｚｅ、ｒｅｖｉｔａｌｉｚｅ、ｕｒｂａｎｉｚｅ、そしてａｎａｌｙｚｅのようにこのｉｚｅがｉｙｅとなっている場合などの名詞を動詞化する定型的な用法の２種がある。【０３４５】前者の場合はきわめて少数であって、ｄｏｚｅ（居眠り）とｄｏｓｅ（薬の投与量）以外には、これらの諸単語中のｚをｓに置き換えた単語が存在しないことは容易に確認できる。【０３４６】後者の場合については、このｉｚｅに対応する綴りであるｉｓｅを含む単語は、ｅｘｅｒｃｉｓｅ、ｓｕｒｐｒｉｓｅ、ｐｒｅｃｉｓｅ、ｐｒｏｍｉｓｅ、ｒａｉｓｅ、ｓｕｐｅｒｖｉｓｅ、ｔｒｅａｔｉｓｅ等のきわめて少数の例があるが、これらの単語のｉｚｅの部分とｉｓｅの部分を交換して成立する単語が無いことも容易に確認できる。【０３４７】以上によって、単語登録の機能により、入力時に使用頻度の高い単語を選択すべき第一候補として画面に表示し、とくに選択行為を行わない限り、この単語が選択されるように設定することにより、ｓとｚを一つのハードキーに属せしめた鍵盤によって、ｓとｚにそれぞれ一つのハードキーを与えた鍵盤とほとんどの場合に同じ働きを実現することが可能となる。
「ｘとｚの間」【０３４８】講談社パックス英和辞典（１９９２、６８０００項目収録）のすべてのｘに始まる単語を、大型辞書研究社リーダーズ英和辞典（１９８４、２６万項目収録）のすべてのｚに始まる単語と対照した結果、このｘをｚに書き換えても成立する単語は、Ｘ−ａｘｉｓとＺ−ａｘｉｓ、ｘｅｎｏとＺｅｎｏ、Ｘｉｎｇとｚｉｎｇ、ＺｎとＸｎ、ＸＳとＺ．Ｓ．の５語であった。【０３４９】このうち、ｘｅｎｏと対応するＺｅｎｏは大文字で始まり、Ｘｉｎｇに対応するｚｉｎｇは小文字で始まり、ＸＳに対応するＺ．Ｓ．にはピリオドがあり、実際に混同が起こるのは、Ｘ−ａｘｉｓに対応するＺ−ａｘｉｓとＸｎ（Ｃｈｒｉｓｔｉａｎ）に対応するＺｎ（亜鉛）の２例に止まる。【０３５０】すなわち、Ｘ−ａｘｉｓに対応するＺ−ａｘｉｓの場合は、２例の入力候補の中から選択することが必要となるが、Ｘｎ（Ｃｈｒｉｓｔｉａｎ）に対応するＺｎ（亜鉛）の場合は、単語登録による引き当ての場合の場面選択の機能によって容易に識別が可能である。【０３５１】次に問題になるのは、単語の語中におけるｘとｚの間に相補関係が成り立つのか否かという点である。【０３５２】実際にｘが語中に現れる場合を検討すると、その大部分が、先に見たように、ｅｘａｃｔ、ｅｘａｇｇｅｒａｔｅ、ｅｘａｌｔ、ｅｘａｍｉｎｅ、ｅｘａｍｐｌｅ等々のｅとｘが結びついて語頭にくる場合であり、これは実際には語頭に近い形である。【０３５３】上記のこれらの例でそこでのｘをｚに変えても成立する単語、すなわちｅｘをｅｚに変えて成立する単語はまったく無い。【０３５４】次に問題になるのは、単語の語尾におけるｘとｚの間に相補関係が成り立つのか否かという点である。【０３５５】単語の語尾におけるｘが現れる例は、ｔａｘ、ｓｉｘ、ｓｅｘ、ｍｉｘ、ｆｉｘ等の例であるが、先に見たように、そもそも語尾にｚが現れること自体が少なく、これらの単語の場合にも、ｓａｙの三人称単数形をのｓａｙｓをｓｅｚと略記する以外にはｘをｚに変えても成立する単語は無い。【０３５６】以上によって、単語登録の機能により、入力時に使用頻度の高い単語を選択すべき第一候補として画面に表示し、とくに選択行為を行わない限り、この単語が選択されるように設定することにより、ｘとｚを一つのハードキーに属せしめた鍵盤によって、ｘとｚにそれぞれ一つのハードキーを与えた鍵盤とほとんどの場合に同じ働きを実現することが可能となる。
「子音と半母音および母音の表記における相補性」【０３５７】以上、子音と子音の間の綴り字における相補性を問題にしたが、同様の相補的な関係は、子音と半母音および母音の間にも成立する。【０３５８】このような関係が典型的に現れるのは、子音ｖと半母音ｗと母音ｕの間、および子音ｈと半母音ｙと母音ｉの間である。
「子音ｖと半母音ｗの場合」【０３５９】講談社パックス英和辞典（１９９２、６８０００項目収録）のすべてのｖに始まる単語を、大型辞書研究社リーダーズ英和辞典（１９８４、２６万項目収録）のすべてのｗに始まる単語と対照した結果、このｖをｗに書き換えても成立する単語は次項に記す４１語であった。【０３６０】Ｖａ、ＶＡ、Ｖａｃ、ｖａｉｎ、ｖａｌｅ、ｖａｎ、ｖａｎｅ、ｖａｎｔａｇｅ、ｖａｒ、ｖａｒｙ、ｖａｓ、ｖａｓｅ、ｖａｓｔ、ｖａｔ、ＶＡＴ、ｖｂ、ｖｅａｌ、ｖｅｅｐ、ｖｅｉｌ、ｖｅｌｄ、Ｖｅｎ、ｖｅｎｄ、ｖｅｎｔ、ｖｅｒ、ｖｅｒｔ、ｖｅｓｔ、Ｖｅｔ、ｖｅｘ、ＶＦ、ｖｉｌｅ、ｖｉｎ、ｖｉｎｅ、ｖｉｎｏ、ｖｉｓ、ｖｉｓｅ、ｖｉｚ、ｖｏｌｌｅｙ、ｖｏｗ、ＶＰ、ＶＳ、ｖｖ。【０３６１】上記３６単語中、固有名詞すなわち大文字から始まることによって、書き換えても成立する単語との相互識別が可能な単語がｖに始まる単語に１個（Ｖｅｎ）、ｗに始まる単語に５個（Ｗａｃ．ＷＡＣ→ｖａｃ、Ｗａｎ→ｖａｎ、Ｗｅｉｌ→ｖｅｉｌ、Ｗｅｘ→ｖｅｘ、ＷＶ、ＷＷ、Ｗ．Ｗ．→ｖｖ）あり、さらにそれ以外に本来省略語として、単字の入力の必要なものが計６個（Ｖａ、ＶＡ、ＶＦ、ＶＰ、ＶＳ）ある。【０３６２】また以上の大文字から始まる例を除いたこれらの単語は、上記の一覧表からわかるように、その大部分が日常あまり使用されない語彙である。【０３６３】さらに、これらの単語の中で日常的に使用する単語、たとえば、ｖａｉｎ、ｖａｒｙ、ｖａｓｅ、ｖａｓｔ、ｖｏｌｌｙ等のｖに始まる単語に対応するｗに始まる単語はそれぞれ、ｗａｉｎ、ｗａｒｙ、ｗａｓｅ、ｗａｓｔ、ｗｏｌｌｙ等の非日常的な語彙であり、逆にｗｅｎｔ、ｗｅｓｔ、ｗｅｔ、ｗｉｎ、ｗｉｎｅ、ｗｉｓｅ等のｗに始まる日常的に使用される単語に対応するｖに始まる単語はそれぞれ、ｖｅｎｔ、ｖｅｓｔ、ｖｅｔ、ｖｉｎ、ｖｉｎｅ、ｖｉｓｅ等の非日常的な語彙あるいは明らかに相対的に使用頻度が低い語彙である。【０３６４】したがってｖとｗがそれぞれ語頭に来る場合には、単語登録の機能により、入力時に使用頻度の高い単語を選択すべき候補として画面に表示し、とくに選択行為を行わない限り、この単語が選択されるように設定することにより、ｖとｗを一つのハードキーに属せしめた鍵盤によって、ｖとｗにそれぞれ一つのハードキーを与えた鍵盤とほとんどの場合に同じ働きを実現することが可能となる。【０３６５】次に問題になるのは、単語の語中あるいは語尾におけるｖとｗの間に相補関係が成り立つのか否かという点である。【０３６６】通例では、英文においてｖが語尾に来る場合は、原則として無いので、この点での混同は生じない。【０３６７】実際にｖが語中に現れる場合を検討すると、その大部分が定型的な形、あるいはそれとよく似た形で現れる。【０３６８】もっとも典型的なのは、ａｃｔｉｖｅ、ａｃｔｉｖｉｔｙ、ｐａｓｓｉｖｅ、ｐａｓｓｉｖｉｔｙのように、語尾がｉｖｅで終わって形容詞、ｉｖｉｔｙで終わって名詞となるものである。【０３６９】この語形のｗを含む単語と比較すると、ｉｖｅに代わってｉｗｅ、ｉｖｉｔｙに代わってｉｗｉｔｙとなる綴りを持つ単語は皆無である。【０３７０】同様に、このｉとｅを入れ替えたｅｖｉｄｅｎｔ、ｐｒｅｖｉｏｕｓ、ｒｅｖｉｅｗ等のｅｖｉの綴りを含む単語に対応するｅｗｉの綴りを含む単語もまた皆無である。【０３７１】同様に、ｖの前後に母音を持つ綴りに対してそれと同じ母音がｗの前後にある場合を検討すると、ｌｏｖｅ、ｄｏｖｅの場合のｏｖｅに対するｏｗｅの綴りが、ｏｗｅ（負っている）そのもの以外に、ｆｌｏｗｅｒ、ｐｏｗｅｒ、ｈｏｗｅｖｅｒ、ｓｈｏｗｅｒ等の場合に現れるほか、ｆｏｌｌｏｗｅｄ、ｆｏｌｌｏｗｅｒ、ｂｅｓｔｏｗｅｄ等の語形変化に伴って現れ、あるいは、ｅｖｅｎ、ｅｌｅｖｅｎ、ｅｖｅｒ等の際のｅｖｅに対するｅｗｅが、ｒｅｖｉｅｗｅｄ、ｉｎｔｅｒｖｉｅｗｅｄ等の形で、語形変化にともなって現れる等の例がある。【０３７２】この他、ｈａｖｅ、ｓａｖｅの場合のａｖｅに対するａｗｅがａｗｅ（怖れる）そのもの以外には見当たらず、ａｖｉに対するａｗｉがｄｒａｗｉｎｇの場合のように語形変化に伴って出現する。【０３７３】以上のような、ｖの前後に母音を持つ場合とは異なり、ｕｎｉｖｅｒｓｉｔｙ、ｏｖｅｒ、ｃｏｖｅｒ、ｎｅｖｅｒ、ｃｏｎｖｅｒｓａｔｉｏｎ等の場合のように、ｖｅｒの綴りを定型的に持つ単語に対するｗｅｒの綴りは、ｗｅｒｅ、ｐｏｗｅｒ、ａｎｓｗｅｒ、ｌｏｗｅｒ等の場合に出現する。【０３７４】以上の例においては、部分的な綴りの共通性を見たが、これらの部分的な綴りの共通性は共通の単語を生み出すまでには至っていない。【０３７５】部分的な綴りの共通性が共通の単語を生み出すまでに至った例としては、ｖｅｒとｗｅｒの対応の場合のｌｏｗ、ｌｏｗｅｒとｌｏｖｅ、ｌｏｖｅｒの場合に出現するが、これも本来綴りの違う単語が、語形変化によって同一綴りを持つことになった例である。【０３７６】こうした定型的な綴りの比較とは別に、直接的にｖとｗを入れ替えても成立する単語としては、ｗｅｓｔとｖｅｓｔ（チョッキ）の例があり、本来綴りの違う単語が、語形変化によって同一綴りを持つことになった例としては、ｍｏｖｅとｗｏｖｅ（ｗｅａｖｅの過去形）ｖｅｎｔ（孔）とｗｅｎｔ（ｇｏの過去形）等の例がある。【０３７７】こうして、ｖとｗがそれぞれ語中に来る場合は、語形変化によって共通の単語が生み出されるのが通例であり、その数も多くは無い。【０３７８】したがって、単語登録の機能により、入力時に使用頻度の高い単語を選択すべき候補として画面に表示し、とくに選択行為を行わない限り、この単語が選択されるように設定することにより、ｖとｗを一つのハードキーに属せしめた鍵盤によって、ｖとｗにそれぞれ一つのハードキーを与えた鍵盤とほとんどの場合に同じ働きを実現することが可能となる。
「半母音ｗと母音ｕの間」【０３７９】先に、ｖとｗが英文綴りにおいて相補的な関係にあることについて述べたが、半母音ｗと母音ｕ、子音ｖと母音ｕについてもほぼ同様な相補関係が成立する。【０３８０】まず、半母音ｗと母音ｕの場合について見ても、一つの単語において、その綴りの中のｗとｕを置き換えて成立する単語は原則的に存在しない。【０３８１】これは、ｗとｕの音価が本来同じであり、それが子音として扱われる場合、すなわちｗが語尾に来る場合と語頭に来てその後に母音あるいはｈ（ｗｈａｔ、ｗｈｉｃｈ、ｗｈｅｒｅ、ｗｈｏ、ｗｈｅｎ、ｗｈｙ、ｗｈｅｔｈｅｒ、ｗｈｉｌｅ、ｗｈｉｔｅ等）とｒ（ｗｒｅｓｔｌｅ、ｗｒａｐ、ｗｒｉｓｔ、ｗｒｉｔｅ、ｗｒｏｎｇ等）という特定の子音を要求する場合および語中に来てその後ろに母音を持つ場合にｗと表記され、それが母音として扱われる場合、すなわちそれが語中や語頭に来てその後に子音を要求する場合にｕと表記されるからである。【０３８２】きわめて例外的に、ｄｏｗｎ、ｄａｗｎ、ｐｏｗｄｅｒ等の後ろにｎやｄを持つ少数の場合や、ｇｒｏｗ−ｔｈ等のここでハイフンを入れて示すよう、その前後に他の言葉があってそのために語中に位置してその後ろに子音を持つようになった合成語の場合に母音的扱いのｗが存在するがあるが、そうした語彙にあっても、そのなかのｗをｕに置き換えた単語は存在しない。
「子音ｖと母音ｕの間」【０３８３】次に、子音ｖと母音ｕの場合について見ても、一つの単語において、その綴りの中のｖとｕを置き換えて成立する単語は原則的に存在しない。【０３８４】これは、ｗとｕと同様に、ｖとｕの音価が本来同じであり、それが子音として扱われる場合、すなわちｖがｖｅの形で語尾に来る場合と語頭や語中に来て、その後に母音を要求する場合にｖと表記され、語頭や語中に置かれてその後ろに子音を要求する場合にｕと記されるからである。【０３８５】この場合、例外的に、ｓｕｉｔ、ｒｅｃｒｕｉｔ等の場合、ｔｒｕｅ、ｃｏｎｔｉｎｕｅ、ｉｓｓｕｅ等の場合、ｒｅｑｕｅｓｔ、ｅｑｕｉｖｏｃａｌ、等の場合、ｇｒａｄｕａｌ等の場合、ｃｏｎｔｉｎｕｏｕｓ等の場合など、定型的にｕがその後ろに母音表記を求める場合があるが、そうした語彙にあっても、そのなかのｕをｖに置き換えた単語は存在しない。
「子音ｈと半母音ｙの間」【０３８６】講談社パックス英和辞典（１９９２、６８０００項目収録）のすべてのｙに始まる単語を、大型辞書研究社リーダーズ英和辞典（１９８４、２６万項目収録）のすべてのｈに始まる単語と対照した結果、このｙをｈに書き換えても成立する単語は次項に記す、略号綴り７語に普通の単語３１語を加えた３８語であった。【０３８７】ＹＡ、ＹＡＧ、ｙｂ、ＹＢ、Ｙｉｄ、Ｙｏ、Ｙｏｂ、ｙｒ、ｙａｈ、Ｙａｌｅ、ｙａｍ、ｙａｍｍｅｒ、ｙａｎｋ、ｙａｐ、ｙａｒｄ、ｙａｒｒｏｗ、ｙａｗ、ｙｅ、ｙｅａｒ、ｙｅａｒｎ、ｙｅａｔｓ、ｙｅｌｌ、ｙｅｌｐ、ｙｅｎ、ｙｅｐ、ｙｅｓｔｅｒ、ｙｅｔ、ｙｅｗ、ｙｉｐ、ｙｉｐｅ、ｙｉｐｐｉｅ、ｙｏｉｃｋｓ、ｙｏｋｅ、ｙｏｕｒ、ｙｏｗｌ、ｙｏｙｏ、ｙｕｍｍｙ、ｙｕｐ。【０３８８】これらの、略号綴り７語の中で、ｙから始まる略語のなかで３語が大文字で始まることで、ｈに始まる略語と区別可能である。【０３８９】一方、これらの３１語の単語の中で、ｙから始まる略語のなかで３語が大文字で始まることで、ｈに始まる略語と区別可能であり、逆にｈに始まる略語３語がそれが大文字で始まることでｙから始まる略語と区別することが可能である。【０３９０】これらの３１語の単語の多くは稀見の単語であり、ｙから始まる略語のなかではｙｅａｒとｈｅａｒ、ｙｏｕｒとｈｏｕｒの双方が日常的な語彙であるが、互いに品詞が異なっており、ｈで始まる単語のなかではｈｅｌｐとｙｅｌｐ、ｈｉｐとｙｉｐのｈで始まる単語が日常的な語彙であるとともに、後者に対して頻出度が大きく勝っており、いずれの場合も単語登録とその引き当ての機能によって、多くの場合に適当な単語を選ぶことが可能である。【０３９１】次に、単語の語尾の場合は、先に触れたようにｈが語尾に来る例はａｈ、ｙａｈ、ｙｅａｈ、ｏｈ等きわめて少数の例しかないので、混同の機会はほとんど無い。【０３９２】単語の語中の場合は、ｙが語中に出現する例はきわめて少なく、ｌｏｙａｌ、ｐｏｒｔｒａｙａｌ、ｍｙｓｔｉｃａｌ等の場合にも、そこでのｙをｈに代えて成立する語はほとんど無い。【０３９３】例外的に、たとえばｆｏｒｔｈ、ｆｉｆｔｈ等の序数は、ｆｏｒｔｙ、ｆｉｆｔｙの基数のｙをｈに変えて成立する。【０３９４】同様に、ｐａｔｈとｐａｔｙ（末広がりの紋）等の少数の例外はある。【０３９５】したがって、単語登録の機能により、入力時に使用頻度の高い単語を選択すべき候補として画面に表示し、とくに選択行為を行わない限り、この単語が選択されるように設定することにより、ｙとｈを一つのハードキーに属せしめた鍵盤によって、ｙとｈにそれぞれ一つのハードキーを与えた鍵盤とほとんどの場合に同じ働きを実現することが可能となる。
「半母音ｙと母音ｉの間」【０３９６】半母音ｗと母音ｕの間の関係と同様に、、一つの単語において、その綴りの中の半母音ｙと母音ｉを置き換えて成立する単語は原則的に存在しない。【０３９７】これは、ｙとｉの音価が本来同じであり、それが子音として扱われる場合、すなわちｙが語尾に来る場合と語頭に来てその後に母音を要求する場合にｙと表記され、それが母音として扱われる場合、すなわちｉが語中に来る場合と語頭に来てその後に子音を要求する場合にｉと表記されるからである。【０３９８】きわめて例外的に、ｔｙｐｅ、ｍｅｔａｐｈｙｓｉｃａｌ、ｄｙｎａｓｔｙ、ｌｏｙａｌ、ａｎｏｎｙｍｏｕｓ、ｓｙｓｔｅｍ、ａｎａｌｙｓｉｓやそれから派生した語彙などの語中に母音的扱いのｙが存在するがあるが、そうした語彙にあっても、ｓｔｙｌｅとｓｔｉｌｅ（框）のような少数の例外を除いて、そのなかのｙをｉに置き換えた単語すなわち、ｔｉｐｅ、ｍｅｔａｐｈｉｓｉｃａｌ、ｄｉｎａｓｔｙ、ｌｏｉａｌ、ａｎｏｎｉｍｏｕｓ、ｓｉｓｔｅｍ、ａｎａｌｉｓｉｓ等の語は存在しない。
「子音ｈと母音ｉの間」【０３９９】講談社パックス英和辞典（１９９２、６８０００項目収録）のすべてのｈに始まる単語を、大型辞書研究社リーダーズ英和辞典（１９８４、２６万項目収録）のすべてのｉに始まる単語と対照した結果、このｈをｉに書き換えても成立する単語綴りは、次項に記す６語であった。【０４００】Ｉｂ、ＩＣ、ｉｄ、Ｉｄ、ＩＤ、ｉｅ、ｉｔ、ＩＵ。【０４０１】これらの単語のなかで、ｉに始まる単語のｉｔと、ｈに始まる単語のｈｅだけが通常の単語であるが、ｉｔの場合は対応する単語は、ｈｔ．、Ｈｔ．、ｈ．ｔ．という略号であり、．等により、識別できる。【０４０２】したがって、この二つの字母をともに一つのキーに属せしめた場合の入力に当たって、困難が生じるのは、ｈに始まる単語のｈｅだけであるが、ｈｅの頻出度は圧倒的に高い。【０４０３】こうして語頭の場合について言えば、ｈに始まる単語とｉに始まる単語を単語登録の機能により、入力時に使用頻度の高い単語を選択すべき候補として画面に表示し、とくに選択行為を行わない限り、この単語が選択されるように設定することにより、ｈとｉが語頭に来る場合には、ｈとｉを一つのハードキーに属せしめた鍵盤によって、ｈとｉにそれぞれ一つのハードキーを与えた鍵盤とほとんどの場合に同じ働きを実現することが可能となる。【０４０４】単語の語尾の場合について言えば、ｈが語尾に来る場合は、ｏｈ、ｙａｈ等の数少ないケースであるし、ｉが語尾に来るのは英語にとっては外来語である諸語に由来する場合以外は、ほとんど皆無である。【０４０５】次に問題になるのは、単語の語中におけるｈとｉの間に相補関係が成り立つのか否かという点である。【０４０６】実際に例に当たると、単語の語中におけるｈをｉに代えてもよい場合は、ｔｈｅをｔｉｅに代える以外にはあまり見られない。【０４０７】これは、ｈがいわば子音性が弱く、語中に単独に出現する場合は常にその前後に母音を要求し、この母音に挟まれたｈをｉに代えた場合は、最低３母音が連続して現れることと、ｈが例外的に子音と結びつく場合は、ｃｈ、ｇｈ、ｐｈ、ｓｈ、ｔｈ、ｗｈ等の定型的な形で出現するからであろう。【０４０８】実際に、ｃｈを含む単語の場合のｔｅａｃｈｅｒ、ａｃｈｉｅｖｅ、ｓｃｈｏｌａｒ、ｇｈを含む単語の場合のｎｉｇｈｔ、ｌｉｇｈｔ、ｔｈｏｕｇｈｔ、ｐｈを含む単語の場合のｅｍｐｈａｓｉｚｅ、ｇｒａｐｈｉｃ、ｐｈｉｌｏｓｏｐｈｙ、ｓｈを含む単語の場合のｓｈｉｐ、ｓｈａｐｅ、ｔｈを含む単語の場合のｔｈｉｓ、ｔｈａｔ、ｒａｔｈｅｒ、ｏｔｈｅｒ等の語のｈをそれぞれｉに代えた場合に意味のある単語になることは無いし、そこに出現する綴りは、直覚的に英語と異質である。【０４０９】また、ｔｈｅとｔｉｅではｔｈｅの頻出度が圧倒的に高いだけで無く、両単語は品詞を異にしており、以上によって、単語登録と単語引き当ての機能により、入力時に使用頻度の高い単語を選択すべき第一候補として画面に表示すとともに、とくに選択行為を行わない限り、この単語が選択されるように設定することにより、ｈとｉを一つのハードキーに属せしめた鍵盤によって、ｈとｉにそれぞれ一つのハードキーを与えた鍵盤とほとんどの場合に同じ働きを実現することが可能となる。【０４１０】以上の結果によって、同一のハードキーに、ｃｋｑ、ｇｊ、ｓｘｚ、ｕｖｗ、ｈｉｙの５組の字母を、それぞれ同一のハードキーに、設定することが可能となる。
「英文中の字母の出現率の問題」【０４１１】そこで、この二つの鍵盤の中の最初に入る鍵盤に、英文に於いて出現頻度が高い字母を割り振り、この鍵盤では入力できない字母が出現したときにのみ、鍵盤切替キーを押し下げてもう一つの鍵盤に入り、この鍵盤での入力がすめば、直ちに自動的に最初の鍵盤にもどるように設定することによって、効率的な入力が可能となる。【０４１２】本発明に於いては、この最初に入る出現頻度が高い字母を割り振った英文入力鍵盤を英文入力表鍵盤、鍵盤切替キーを押し下げることによって入る出現頻度が低い字母を割り振った英文入力鍵盤を、英文入力裏鍵盤と称する。【０４１３】このような英文におけるアルファベット字母の出現頻度を確認するために、ほぼスタンダードな英語と見なしうるものとして、インターネット上のアメリカ合衆国憲法、およびそれに関連する行事の紹介の英文をアトランダムに集成して、そこでのアルファベット字母の出現頻度を検討する。【０４１４】集成の結果得られた英文は、合計４４３８４字母（コンマ、ピリオド等の符号を含む）となったが、各字母（コンマ、ピリオド等の符号を含む）の出現数は、ａ（３４００）、ｂ（７１０）、ｃ（１５２３）、ｄ（１５２９）、ｅ（５４４８）、ｆ（１０４４）、ｇ（７０７）、ｈ（２２１６）、ｉ（３０９３）、ｊ（１６４）、ｋ（１５３）、ｌ（１８８２）、ｍ（１０４５）、ｎ（３３７１）、ｏ（３３１９）、ｐ（８１３）、ｑ（３８）、ｒ（２７３７）、ｓ（２９１３）、ｔ（４０４９）、ｕ（１１２５）、ｖ（４９３）、ｗ（５３０）、ｘ（１９３）、ｙ（６２０）、ｚ（３６）、，（６６７）、．（４７６）、？（５）、！（４）、：（７２）、；（５９）、合計４４３８４となる。【０４１５】以上の結果に基づいて、本発明においては、英文入力の際に最初に入る英文入力表鍵盤に属するキーにできるだけ英文において出現率の高い字母を載せることにする。【０４１６】この場合、この字母の配列の基準としては、いわゆるｑｗｅｒｔｙボードに見られる配列をとらず、アルファベット順を基準とする配列と、五十音順を基準とする配列の２種の配列を提起する。【０４１７】これは、いわゆるｑｗｅｒｔｙボードが機械式のタイプライタのための字母配列として登場したことと関係がある。【０４１８】この段階では、あまりに早い入力は、機械式のタイプライタのアームの絡み合いを生じるために、できるだけ入力速度を遅くするための字母配列を採用したというのが、通説であるからである。【０４１９】これに対して、本発明においては英文入力表鍵盤英語型と称する、英語圏の人々にもっともなじみの深いアルファベットによる配列を持った鍵盤と、英文入力表鍵盤和文対応型と称する、日本人のアプローチの便を図った五十音順による配列を持った鍵盤という２種の字母配列を提起する。【０４２０】まず、アルファベット順を基準とする英文入力表鍵盤英語型に属するキーを、ａ、ｅ、ｈ（ｉとｙを含む）、ｎ、ｏ、ｒ、ｓ（ｘとｚを含む）、ｔ、ｕ（ｖとｗを含む）の９組計１５の字母を載せた９キーとする。【０４２１】英文入力鍵盤英語型の場合のその表鍵盤、すなわち英文入力表鍵盤英語型の字母配置は、図３（ａ）に示すように、９キーの第１行第１列にａ、第２列にｅ、第３列にｈｉｙ、第２行第１列にｎ、第２列にｏ、第３列にｒ、第３行第１列にｓｘｚ、第２列にｔ、第３列にｕｖｗのキーを配置する。【０４２２】先に示した英文中の字母出現率の資料によれば、合計４４３８４個の字母と符号のなかで、この９組計１５の字母は３３４９３個見出された。【０４２３】そこで、全体として４４３８４回のキーの押し下げのなかで、この英文入力表鍵盤英語型に属する３３４９３個のキーが押し下げられる率、言い換えれば、１度だけのキーの押し下げで入力される字母の出現率は、７５．４６％となる。【０４２４】英文入力の場合に、この英文入力表鍵盤を使っての入力中に鍵盤切替キーを押し下げて入る英文入力裏鍵盤に属する字母は、残りのｂ、ｃ（ｋとｑを含む）、ｄ、ｆ、ｇ（ｊを含む）、ｌ、ｍ、ｐの８組計１１字母（符号を含む）となるので、この英文入力裏鍵盤には今一つのキーが余るが、本発明ではこのキーに、本発明では文字大小符キーと称する、小文字を大文字に、大文字を小文字に変換するキーを置く。【０４２５】実際には、本発明においては、英文入力に入って最初に入力される字母と、英文入力中にピリオドを入力した直後に入力される字母は、自動的に大文字になるように設定するが、そのような自動的設定ではうまく行かない場合に備えて、この文字大小符キーを備えて、既入力の小文字を大文字に、大文字を小文字に変換するのである。【０４２６】すなわち、英文入力中に、ある字母を入力した直後に、この文字大小符キーを押し下げると、当該字母が小文字であった場合にはそれを大文字に、大文字であった場合にはそれを小文字に変換するのである。【０４２７】またこの文字大小符は、すでに入力された字母あるいは字母群をカーソルによって指定したのちに押し下げられた場合には、この字母あるいは字母群全体をそれが小文字であった場合にはそれを大文字に、大文字であった場合にはそれを小文字に変換する。【０４２８】こうして、英文入力鍵盤英語型の場合のその裏鍵盤、すなわち英文入力裏鍵盤英語型の字母配置は、図３（ｂ）に示すように、９キーの第１行第１列にｂ、第２列にｃｋｑ、第３列にｄ、第２行第１列にｆ、第２列にｇｊ、第３列にｌ、第３行第１列に文字大小符、第２列にｍ、第３列にｐのキーを配置する。【０４２９】以下、再び英文入力における英文入力鍵盤和文対応型の場合の表鍵盤と裏鍵盤の問題にもどる。【０４３０】英文入力鍵盤和文対応型の場合のその表鍵盤、すなわち英文入力表鍵盤和文対応型の字母配置は、五十音順への配慮のために、アルファベット順を基準とする英文入力表鍵盤英語型に属するキー、すなわちａ、ｅ、ｈ（ｉとｙを含む）、ｎ、ｏ、ｒ、ｓ（ｘとｚを含む）、ｔ、ｕ（ｖとｗを含む）の９組計１５の字母を載せた９キーの中から、ｒを載せたキーを裏鍵盤にまわし、裏鍵盤からｃｋｑを乗せたキーをとする。【０４３１】より具体的には、図４（ａ）に示すように五十音図との相関を求めて、１２キーの第１行第１列にａ、第２列にｈｉｙ、第３列にｕｖｗ、第２行第１列にｅ、第２列にｏ、第３列にｃｋｑ、第３行第１列にｓｘ、第２列にｔ、第３列にｎのキーを配置する。【０４３２】先に示した英文中の字母出現率の資料によれば、合計４４３８４個の字母と符号のなかで、この９組計１５の字母は３２４７０個見出された。【０４３３】そこで、全体として４４３８４回のキーの押し下げのなかで、この英文入力表鍵盤和文対応型に属するキーが押し下げられる率、言い換えれば、英文入力表鍵盤和文対応型のキーの１度だけのキーの押し下げで入力される字母の出現率は、７３．１６％となる。【０４３４】すなわち、五十音順への配慮から、相対的に頻出度の高いｒキーを、相対的に頻出度の低いｃｋｑキーに入れ替えた結果、１度だけのキーの押し下げで入力できる率が、７５．４６％から７３．１６％へと、約２．３％低下したのである。【０４３５】英文入力鍵盤和文対応型の場合のその裏鍵盤、すなわち英文入力裏鍵盤和文対応型の字母配置は、図４（ｂ）に示すように、できる限り五十音図との相関を尊重した形で、９キーの第１行第１列にｍ、第２列にｌ、第３列にｒ、第２行第１列にｇｊ、第２列にｄ、第３列にｂ、第３行第１列に文字大小符、第２列にｐ、第３列にｆのキーを配置する。【０４３６】上記の場合には、第１行第１列にｍ、第２列にｌ、第３列にｒという配置を「ま」「や」「ら」を感性的に連想させる形とし、第２行第１列にｇｊ、第２列にｄ、第３列にｂという配置で、「が」「だ」「ば」という「ざ」以外の濁音の配置に対応し、第３行第２列にｐ、第３列にｆという配置は、濁音「ば」に続けて「ば」と親近性のある半濁音「ぱ」を配置している。【０４３７】以下、この本発明の英文入力鍵盤英語型と英文入力鍵盤和文対応型によって、先に示したインターネット上のアメリカ合衆国憲法、およびそれに関連する行事の紹介の英文を入力するのに必要なタッチ数を計算することにする。【０４３８】まず、英文入力鍵盤英語型の場合、その表鍵盤で入力される字母数、すなわちただ１度のキーの押し下げによって入力される字母数は、合計３３４９３個である。【０４３９】ついで、英文入力鍵盤英語型の場合、その裏鍵盤で入力される字母数、すなわち鍵盤切替キーを押し下げたのちに、再び字母キーを押し下げて、合計２度のキーの押し下げによって入力される字母数は、合計９６０８個である。【０４４０】さらに、英文入力鍵盤英語型の場合、その符号鍵盤で入力される字母数、すなわち鍵盤切替キーを２度押し下げたのちに、再び字母キーを押し下げて、合計３度のキーの押し下げによって入力される符号数は、合計１２８３個である。【０４４１】そこで、英文入力鍵盤英語型の場合、先に示したインターネット上のアメリカ合衆国憲法、およびそれに関連する行事の紹介の英文を入力するのに必要なタッチ数は、３３４９３×１＝３３４９３、９６０８×２＝１９２１６、１２８３×３＝３８４９の３個の数字を合計した、５６５５８度であると計算される。【０４４２】これは、一般的なパソコンが、英文字母と符号を総計して、４４３８４個と計算されるこの文章を、そのまま４４３８４度のキーの押し下げで入力するのに対して、本発明の英文入力鍵盤英語型の場合、５６５５８÷４４３８４＝１．２７４３の計算によって、約２７％増しの１２７％強のタッチで入力できることを示している。【０４４３】さらに、本発明における英文入力鍵盤和文対応型の場合に、同様の計算をする。【０４４４】この英文入���表鍵盤和文対応型では、英文入力表鍵盤英語型の場合の３３４９３度のキーの押し下げの中から、ｒキーの２７３７度のキーの押し下げを差し引いて、ｃｋｑの１７１４キーの押し下げを加えて、差し引き３２４７０度のキーの押し下げが必要となる。【０４４５】逆に、英文入力裏鍵盤和文対応型では、英文入力裏鍵盤英語型の場合の９６０８度のキーの押し下げの中から、ｃｋｑのキーの１７１４度のキーの押し下げを差し引いて、２７３７度のｒキーの押し下げを加えて、差し引き１０６３１度のキーの押し下げが必要となる。【０４４６】以下、この本発明の英文入力鍵盤和文対応型によって、先に示したインターネット上のアメリカ合衆国憲法、およびそれに関連する行事の紹介の英文を入力するのに必要なタッチ数を計算することにする。【０４４７】まず、英文入力鍵盤和文対応型の場合、その表鍵盤で入力される字母数、すなわちただ１度のキーの押し下げによって入力される字母数は、合計３２４７０個である。【０４４８】ついで、英文入力鍵盤和文対応型の場合、その裏鍵盤で入力される字母数、すなわち鍵盤切替キーを押し下げたのちに、再び字母キーを押し下げて、合計２度のキーの押し下げによって入力される字母数は、合計１０６３１個である。【０４４９】さらに、英文入力鍵盤和文対応型の場合もまた、その符号鍵盤で入力される字母数、すなわち鍵盤切替キーを２度押し下げたのちに、再び字母キーを押し下げて、合計３度のキーの押し下げによって入力される符号数は、合計１２８３個である。【０４５０】そこで、英文入力鍵盤和文対応型の場合、先に示したインターネット上のアメリカ合衆国憲法、およびそれに関連する行事の紹介の英文を入力するのに必要なタッチ数は、３２４７０×１＝３２４７０、１０６３１×２＝２１２６２、１２８３×３＝３８４９の３個の数字を合計した５７５８１度であると計算される。【０４５１】これは、一般的なパソコンが、英文字母と符号を総計して、４４３８４個と計算されるこの文章を、そのまま４４３８４度のキーの押し下げで入力するのに対して、本発明の英文入力鍵盤英語型の場合、５７５８１÷４４３８４＝１．２９７３の計算によって、約２９％強増しの１２９％のタッチで入力できることを示している。【０４５２】以上の本発明の場合に対して、一般的な携帯電話の場合にも同様の計算をしたいのであるが、その際の困難は、一般的な携帯電話の場合には符号入力の方式が一般に煩瑣なこと、機種によってこの符号入力の方式が異なることと、１個のキーに設定された複数の字母を、連続して入力する場合には、十字キーによるカーソル移動があって、一律の計算を阻んでいることである。【０４５３】しかし、これらの要素は本発明に対して、一般的な携帯電話のマイナス要因となるものであり、差し当たってこれらの要素を捨象して、字母入力の場合のみの比較を行うこととする。【０４５４】一般的な携帯電話で英文の入力を行う場合には、ａｂｃ、ｄｅｆ、ｇｈｉ、ｊｋｌ、ｍｎｏ、ｐｑｒｓ、ｔｕｖ、ｗｘｙｚ、の８個のキーに２６個のアルファベットを割り当てる方式が一般的である。【０４５５】そこで、たとえばａキーの入力は１度のキーの押し下げで、ｂキーの入力は２度のキーの押し下げで、ｃキーの入��は３度のキーの押し下げでなされる。【０４５６】この押し下げ度数を、先のアメリカ合衆国憲法およびそれに関連する行事の紹介の英文のアトランダムな集成におけるそれぞれのアルファベット字母の出現頻度に掛け合わせると、一般的な携帯電話でこの文章を入力する際の各字母の出現数は、ａ（３４００×１＝３４００）、ｂ（７１０×２＝１４２０）、ｃ（１５２３×３＝４５６９）、ｄ（１５２９×１＝１５２９）、ｅ（５４４８×２＝１０８９６）、ｆ（１０４４×３＝３１３２）、ｇ（７０７×１＝７０７）、ｈ（２２１６×２＝４４３２）、ｉ（３０９３×３＝９２７９）、ｊ（１６４×１＝１６４）、ｋ（１５３×２＝３０６）、ｌ（１８８２×３＝５６４６）、ｍ（１０４５×１＝１０４５）、ｎ（３３７１×２＝６７４２）、ｏ（３３１９×３＝９９５７）、ｐ（８１３×１＝８１３）、ｑ（３８×２＝７６）、ｒ（２７３７×３＝８２１１）、ｓ（２９１３×４＝１１６５２）、ｔ（４０４９×１＝４０４９）、ｕ（１１２５×２＝２２５０）、ｖ（４９３×３＝１４７９）、ｗ（５３０×１＝５３０）、ｘ（１９３×２＝３８６）、ｙ（６２０×３＝１８６０）、ｚ（３６×４＝１４４）、の各項の小計を合わせた合計であって、９４５７６という数字が得られる。【０４５７】これを、一般的なパソコンの場合の、字母キーの押し下げ数（３３４９３＋９６０８＝４３１０１）で割ると、２．１９４３となり、一般的な携帯電話でこの英文の入力を行う場合には、最低限約２．２倍の字母キーの押し下げが必要となることが分かる。【０４５８】これを、本発明の場合の字母キーの押し下げ数（英文入力鍵盤英語型の場合は５６５５８、英文入力鍵盤和文対応型の場合は５７５８１）で割ると、それぞれ１．６７２強と１．６４３弱となり、一般的な携帯電話でこの英文の入力を行う場合には、本発明の場合に比して、最低限約６０％強の字母キーの押し下げが余分に必要となることが分かる。【０４５９】これは、符号入力の問題とカーソルキーの移動を捨象した数字であるから、実際上の隔たりはさらに大きい。【０４６０】以上によって、本発明の９キーの携帯入力端末の入力操作性は、一般のテンキー（実際には１２キー）の携帯入力端末の入力操作性よりは、はるかに一般のパソコンの入力操作性に近いことが分かる。【０４６１】以上の結果によって、本発明の現在一般的に用いられている方式に対する優位性は明らかであろう。【０４６２】また英文入力種に入る操作を比較すると、本発明の場合には、最大限３回（和文→絵文字→数字→英文）の入力種切替キーの押し下げが必要であるが、一般的な方式では、最大限５回程度（１→区→漢→ァ→ア→Ａ等）の入力種切替キーの押し下げが必要となる。【０４６３】なお、本発明のように英文入力を設定した場合の、ひとつの困難は、単語の場合ではなく、単なる符号としてｃとｋとｑ、ｇとｊ、ｓとｘとｚ、ｈとｉとｙ、ｕとｖとｗの５組の字母のうちのいずれかを単独に入力せざるを得ない状況が発生することである。【０４６４】この点については、たとえば、ｃｋｑキーを押し下げた場合、ｃ、ｋ、ｑの３個の字母が現実の鍵盤に対応した形で、ディスプレーの画面に表示されるので、この画面上のキーに対応する現実の鍵盤のキーの中で必要と���れるものを、一旦シフトキーを押し下げてから、押し下げることで、入力できる。
「片仮名文字入力の問題」【０４６５】本発明においては、片仮名文字は各種字母入力の補助的存在として、各種字母入力中にシフトキーを押し下げたあとに続いて入力種キーを押し下げることにより、片仮名文字入力に入り、片仮名入力が終わった時点で再びシフトキーを押し下げ、続いて入力種キーを押し下げることにより、もとの入力種に復帰するように設定する。
「数字入力キーと操作キーの関係の問題」【０４６６】以下は繰り返しになるが、本発明においては、９個のキーで和文、英文の入力を行うので、３行３列の字母入力キーと１行３列の操作キーを組み合わせているが、数字入力の場合は、１０個のキーが必要となるので、数字入力に当たっては、この１行３列の操作キーに設定された鍵盤切替、シフト、入力切替の３個の操作キーのなかで、シフトキーを省略して、その代わりに、０キーを設定する。【０４６７】これは、数字入力の場合には、入力行為自体が入力確定の行為を含んでおり、和文入力や英文入力の場合のように、入力中に入力候補文字を画面に表示して、これをシフトキーを押し下げることによって入力の位相を変えて、適当な候補を入力確定するという行為が必要ではないからである。【０４６８】しかし、一旦、数字入力から離れて、符合入力等の位相の異なる場面に入った場合は、シフトキーが必要とされる場面が出現しうる。【０４６９】そこで、数字入力から離れて、符合入力等の位相の異なる場面に入った場合は、シフトキーが必要とされる場面が出現しうることを想定して、符合入力等の位相の異なるヴァーチャルな鍵盤は、３行３列の字母入力キーに相当する位置にのみ設定し、ここでは１行３列の操作キーがその他の和文や英文の入力の場合と同様に、鍵盤切替、シフト、入力切替の３個の操作キーがそのまま機能するように設定する。
【図面の簡単な説明】
【０４７０】
【図１】９キー和文入力鍵盤  （ａ）９キー和文入力表鍵盤  （ｂ）９キー和文入力裏鍵盤  （ｃ）９キー和文入力表裏鍵盤
【図２】９キー和文入力鍵盤平仮名表記型  （ａ）９．キー和文入力表鍵盤平仮名表記型  （ｂ）９キー和文入力裏鍵盤平仮名表記型  （ｃ）９キー和文入力表裏鍵盤平仮名表記型
【図３】９キー英文入力鍵盤英語型  （ａ）９キー英文入力表鍵盤英語型  （ｂ）９キー英文入力裏鍵盤英語型  （ｃ）９キー英文入力表裏鍵盤英語型
【図４】９キー英文入力鍵盤和文対応型  （ａ）９キー英文入力表鍵盤和文対応型  （ｂ）９キー英文入力裏鍵盤和文対応型  （ｃ）９．キー英文入力表裏鍵盤和文対応型
【図５】数字入力鍵盤
【図６】和文英文数字入力総合表記
【図７】入力候補文字列の画面表示示意図
【図８】和文入力基本符号鍵盤
【図９】数字入力基本符号鍵盤
【図１０】符号第１鍵盤
【図１１】符号第２鍵盤
【図１２】符号第３鍵盤
【発明を実施するための形態】
【０４７１】携帯電話、電子辞書等。
【産業上の利用可能性】
【０４７２】以上のように、本発明においては、字母と符号の合理的な配置およびディスプレー画面と鍵盤の協働を通じて、従来の携帯端末とは次元を異にする、パソコン並みの操作性と機能性が実現した。【０４７３】そこから予想されることは、第一に、携帯端末へのアクセスが著しく容易になり、携帯端末のユーザーが一層増加すること、および携帯端末の使用面が拡大することである。【０４７４】第二に、従来はパソコンを通じて、従って一定の場所的なあるいは場合によっては一定の時間的な制約のもとで行われていたデータ検索や情報交換が、そうした制約を脱して、ユーザーに密着した形で、かつてのペンや鉛筆、手帳のごとき筆記用具のような形で使用される可能性を与える。【０４７５】現代の著しく拡大した国際交流の局面においても、従来の煩瑣な入力方式を持つ携帯電話は、英語による交流を担いえず、国際情報、国際交流はもっぱらパソコンによって行わざるを得なった。【０４７６】しかし、本発明によって、携帯電話を通じた国際情報、国際交流が著しく発展すると予想される。【０４７７】そしてそこでは、携帯電話が日常的な交流にまで入り込むため、国際的な関係においても、具体的な人間関係における感情的な面にまで踏み込んだ交流が推進されると予想される。【０４７８】以上のように、本発明は従来の産業構造や人間関係の変革にまで及ぶ作用を発揮すると予想される。
【図１】
2012059302.tif 000003
【図２】
2012059302.tif 000004
【図３】
2012059302.tif 000005
【図４】
2012059302.tif 000006
【図５】
2012059302.tif 000007
【図６】
2012059302.tif 000008
【図７】
2012059302.tif 000009
【図８】
2012059302.tif 000010
【図９】
2012059302.tif 000011
【図１０】
2012059302.tif 000012
【図１１】
2012059302.tif 000013
【図１２】
2012059302.tif 000014